(57)【特許請求の範囲】
【請求項１】
１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、
前記加入者線終端装置から送信された前記バースト信号を受信する複数の光受信部と、
前記複数の光受信部が受信した各バースト信号を、前記光受信部の受信した前記バースト信号ごとに復号する複数の復号部と、
前記復号部が復号した各バースト信号に含まれる、前記加入者線終端装置から送信された前記送信データ、前記加入者線終端装置が前記光受信部に信号を送信するタイミングを定めるための前記送信データに関する情報及び前記加入者線終端装置の制御を行うための制御信号を、前記光受信部の受信した前記バースト信号ごとに分離する複数の振り分け部と、
前記複数の振り分け部から出力された前記複数の光受信部の受信信号に含まれる前記送信データを多重して上位通信網へ転送するデータ信号多重部と、
前記振り分け部から出力された前記複数の光受信部の受信信号に含まれる前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記光受信部ごとに割り当てる集線上り送信タイミング制御部と、
前記光受信部ごとに、前記集線上り送信タイミング制御部から割り当てられた上り送信タイミングを、当該光受信部に収容された前記加入者線終端装置ごとに割り当てる複数の上り送信タイミング制御部と、
前記振り分け部から出力された前記制御信号に基づいて、前記複数の光受信部に収容される前記加入者線終端装置に対する制御を実行する制御信号処理部と、
を備えることを特徴とする端局装置。
【請求項２】
１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、
前記加入者線終端装置から送信された前記バースト信号を受信する複数の光受信部と、
前記複数の光受信部が受信した各バースト信号を、前記光受信部の受信した前記バースト信号ごとに復号する複数の復号部と、
前記復号部が復号した各バースト信号に含まれる、前記加入者線終端装置から送信された前記送信データ及び前記加入者線終端装置が前記光受信部に信号を送信するタイミングを定めるための前記送信データに関する情報を、前記光受信部の受信した前記バースト信号ごとに分離する複数の振り分け部と、
前記複数の振り分け部から出力された前記複数の光受信部の受信信号に含まれる前記送信データを多重して上位通信網へ転送するデータ信号多重部と、
前記振り分け部から転送された前記複数の光受信部の受信信号に含まれる前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御部と、
を備えることを特徴とする端局装置。
【請求項３】
前記複数の振り分け部は、前記光受信部の受信したバースト信号に含まれる、前記加入者線終端装置の制御を行うための制御信号を、前記光受信部の受信した前記バースト信号ごとにさらに分離し、
前記複数の振り分け部から出力された前記制御信号に基づいて、前記複数の光受信部に収容される前記加入者線終端装置に対する制御を実行する制御信号処理部を、
さらに備えることを特徴とする請求項２記載の端局装置。
【請求項４】
１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、
前記加入者線終端装置から送信された前記バースト信号を受信する複数の光受信部と、
前記複数の光受信部が受信した各バースト信号を、前記光受信部の受信した前記バースト信号ごとに復号する複数の復号部と、
前記複数の復号部から出力された信号を多重する復号信号多重部と、
前記復号信号多重部で多重された信号に含まれる、前記加入者線終端装置から送信された前記送信データ、前記加入者線終端装置が前記光受信部に信号を送信するタイミングを定めるための前記送信データに関する情報及び前記加入者線終端装置の制御を行うための制御信号を所定の方法で分離し、前記送信データを上位通信網へ転送する振り分け部と、
前記振り分け部から出力された送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御部と、
前記振り分け部から出力された前記制御信号に基づいて、前記複数の光受信部に収容される前記加入者線終端装置に対する制御を実行する制御信号処理部と、
を備えることを特徴とする端局装置。
【請求項５】
前記加入者線終端装置から送信された前記バースト信号を受信する第２の光受信部と、
前記第２の光受信部が受信した前記バースト信号を、前記第２の光受信部の受信した前記バースト信号ごとに復号する第２の復号部と、
前記第２の復号部が復号した信号に含まれる、前記送信データ、前記送信データに関する情報及び前記制御信号を分離する第２の振り分け部と、
前記振り分け部及び前記第２の振り分け部から出力された前記送信データを多重して上位通信網へ転送するデータ信号多重部と、
をさらに備え、
前記制御信号処理部は、前記振り分け部及び前記第２の振り分け部から出力された前記制御信号に基づいて、前記複数の光受信部に収容される前記加入者線終端装置及び前記第２の光受信部に収容される前記加入者線終端装置に対する制御を実行し、
前記上り送信タイミング制御部は、前記振り分け部及び前記第２の振り分け部から出力された前記送信データに関する情報に基づいて、前記加入者線終端装置が収容先の前記光受信部及び前記第２の光受信部に信号を送信する上り送信タイミングを、前記バースト信号のうちの、バーストで転送されない部分、の送信時間が前記複数の光受信部及び前記第２の光受信部の間で重なるように、前記加入者線終端装置ごとに割り当てる、
ことを特徴とする請求項４記載の端局装置。
【請求項６】
１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、
前記加入者線終端装置から送信された前記バースト信号を受信する複数の光受信部と、
前記複数の光受信部にて受信した各バースト信号を多重する受信信号多重部と、
前記受信信号多重部から出力された信号を復号する復号部と、
前記復号部で復号された信号に含まれる、前記加入者線終端装置から送信された前記送信データ、前記加入者線終端装置が前記光受信部に信号を送信するタイミングを定めるための前記送信データに関する情報及び前記加入者線終端装置の制御を行うための制御信号を分離し、前記送信データを上位通信網へ転送する振り分け部と、
前記振り分け部から出力された前記加入者線終端装置ごとの前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御部と、
前記振り分け部から出力された前記制御信号に基づいて、前記複数の光受信部に収容される前記加入者線終端装置に対する制御を実行する制御信号処理部と、
を備えることを特徴とする端局装置。
【請求項７】
前記加入者線終端装置から送信された前記バースト信号を受信する第２の光受信部と、
前記第２の光受信部が受信した各バースト信号を、前記第２の光受信部の受信した前記バースト信号ごとに復号する第２の復号部と、
前記復号部および前記第２の復号部の出力信号を多重して前記振り分け部に出力する復号信号多重部と、
をさらに備えることを特徴とする請求項６記載の端局装置。
【請求項８】
１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置の受信方法であって、
複数の光受信部が、前記加入者線終端装置から送信されたバースト信号を受信する光受信手順と、
前記光受信部ごとに備わる複数の復号部が、前記光受信部が受信したバースト信号を復号する復号手順と、
前記光受信部ごとに備わる複数の振り分け部が、前記復号部が復号した各バースト信号に含まれる、前記送信データ、前記送信データに関する情報及び前記加入者線終端装置の制御を行うための制御信号を分離する振り分け手順と、
前記複数の光受信部に共通に備わるデータ信号多重部が、前記複数の振り分け部から出力された前記送信データを多重して上位通信網へ転送するデータ信号多重手順と、
前記複数の光受信部に共通に備わる集線上り送信タイミング制御部が、前記複数の振り分け部から出力された前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記光受信部ごとに割り当て、前記光受信部ごとに備わる複数の上り送信タイミング制御部が、前記集線上り送信タイミング制御部から割り当てられた上り送信タイミングを、当該光受信部に収容された前記加入者線終端装置ごとに割り当てる上り送信タイミング制御手順と、
前記複数の光受信部に共通に備わる制御信号処理部が、前記複数の振り分け部から出力された前記制御信号に基づいて、前記複数の光受信部に収容される前記加入者線終端装置に対する制御を実行する制御信号処理手順と、
を実行する端局装置の受信方法。
【請求項９】
１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置の受信方法であって、
複数の光受信部が、前記加入者線終端装置から送信されたバースト信号を受信する光受信手順と、
前記光受信部ごとに備わる複数の復号部が、前記光受信部が受信したバースト信号を復号する復号手順と、
前記光受信部ごとに備わる複数の振り分け部が、前記復号部が復号した各バースト信号に含まれる、前記送信データ及び前記送信データに関する情報に分離する振り分け手順と、
前記複数の光受信部に共通に備わるデータ信号多重部が、前記複数の振り分け部から出力された前記送信データを多重して上位通信網へ転送するデータ信号多重手順と、
前記複数の光受信部に共通に備わる上り送信タイミング制御部が、前記複数の振り分け部から出力された前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御手順と、
を実行する端局装置の受信方法。
【発明の詳細な説明】
【技術分野】
【０００１】
本発明は、端局装置及び端局装置の受信方法に関する。
【背景技術】
【０００２】
端局装置と複数の加入者線終端装置とが接続された受動光通信網においては、端局装置と加入者線終端装置の間の通信は時分割多重されている。端局装置と加入者線終端装置間の通信は、例えば非特許文献１に記載されるように、ＭＰＣＰ（Ｍｕｌｔｉ−Ｐｏｉｎｔ  Ｃｏｎｔｒｏｌ  Ｐｒｏｔｏｃｏｌ）と呼ばれる制御プロトコルを用いて実現される。このような受動光通信網は、１台の端局装置を複数のユーザで共用することから低コストにサービスを提供することが可能である。
【０００３】
また、１台の端局装置で複数の受動光通信網を収容し、さらに端局装置内に集線機能部を設け、複数の受動光通信網に収容された加入者線終端装置の帯域割り当てを端局装置内部の集線機能部にて一括で行うことにより、コアネットワーク側の接続ポート数削減、配線の簡略化や制御部の集約が可能となり、更なる低コスト化が可能となる。しかし、複数の受動光通信網に収容された加入者線終端装置に一括で帯域割り当てを行うと、ある受動光通信網が上り信号を送信中の間、他の受動光通信網に未使用帯域が発生するため、受動光通信網ごとのユーザあたりの帯域利用効率が低下する。また、受動光通信網ごとのユーザあたりの帯域利用効率が低下する要因として、バースト信号へのバーストオーバーヘッド（Ｂ−ＯＨ：Ｂｕｒｓｔ  ｏｖｅｒｈｅａｄ）付加と、ＦＥＣ（Ｆｏｒｗａｒｄ  Ｅｒｒｏｒ  Ｃｏｒｒｅｃｔｉｏｎ）パリティ付加と、がある。
【０００４】
図１は、バースト信号中のパリティとＢ−ＯＨを表す。バースト信号は、Ｂ−ＯＨと、ＦＥＣコードワードであるコードワードと、を有する。バースト信号は、同期用ビットや切断時データ等をさらに有してもよい。Ｂ−ＯＨのうち、コードワードより先に送信されるのがバースト立ち上がり部であり、コードワードより後に送信されるのがバースト終了部である。コードワードは、加入者線終端装置から端局装置へと送られる送信データを含むペイロードと、ＦＥＣパリティであるパリティを有する。ここで、Ｎ個のコードワードを含むバースト信号において、１個目のコードワードにおけるペイロードの送信開始時点からＮ個目のコードワードにおけるパリティの送信終了時刻までの部分を「コードワード部分」と呼ぶ。
【０００５】
まず、Ｂ−ＯＨ付加によって帯域利用効率が低下する理由を説明する。図１のように、バースト信号は、コードワード部分の他に、信号の先頭や末尾にＢ−ＯＨを持つ。ここでＢ−ＯＨは、例えばレーザオン（ｌａｓｅｒ  ＯＮ）、同期パタン（ｓｙｎｃ  ｐａｔｔｅｒｎ）、バーストデリミタ（ｂｕｒｓｔ  ｄｅｌｉｍｉｔｅｒ）、レーザオフ（ｌａｓｅｒ  ＯＦＦ）などの信号を想定するが、これ以外のものでも構わない。以上から、コードワード部分に加え、Ｂ−ＯＨを伝送するために上り帯域が必要になるため、受動光通信網において実質的な上り帯域利用効率は低下する。
【０００６】
次に、ＦＥＣパリティ付加によって帯域利用効率が低下する理由を説明する。例えば加入者線終端装置が上り信号にＦＥＣ（Ｆｏｒｗａｒｄ  Ｅｒｒｏｒ  Ｃｏｒｒｅｃｔｉｏｎ）符号化を行う場合、パリティ等のＦＥＣのための冗長符号が付加され、冗長符号分の帯域が上り信号に必要になる。このため、受動光通信網ごとの実質的な帯域利用効率が低下する。
【０００７】
Ｂ−ＯＨ付加に伴う帯域利用効率の低下を解決する手段として、例えば非特許文献２のＢｕｒｓｔ  Ｏｖｅｒｈｅａｄ  Ｏｖｅｒｌａｐｐｉｎｇ（以下、Ｂ−ＯＨ多重帯域割り当て方法と呼ぶ）がある。Ｂ−ＯＨ多重帯域割り当て方法は、一つの受動光通信網の上り信号中におけるＢ−ＯＨ分の合計の送信時間と、他の受動光通信網の上り信号の送信時間を重ね合わせる帯域割り当てを行う。これにより、Ｂ−ＯＨ多重帯域割り当て方法は、端局装置から上位通信網に転送される際の帯域利用効率を改善する。
【０００８】
また、ＦＥＣパリティ付加に伴う帯域利用効率の低下を解決する手段として、例えば特許文献３の帯域割り当て方法（以降、ＦＥＣ多重帯域割り当て方法と呼ぶ）がある。ＦＥＣ多重帯域割り当て方法は、一つの受動光通信網の上り信号中におけるＦＥＣパリティ分の合計の送信時間と、他の受動光通信網の上り信号の送信時間を重ね合わせる帯域割り当てを行う。これにより、ＦＥＣ多重帯域割り当て方法は、端局装置から上位通信網に転送される際の帯域利用効率を改善する。
【０００９】
本発明に関連するＢ−ＯＨ多重帯域割り当て方法、あるいはＦＥＣ多重帯域割り当て方法、あるいはその両方を同時に行う帯域割り当て方法（以降、Ｂ−ＯＨおよびＦＥＣ多重帯域割り当て方法と呼ぶ）を具備する端局装置として、例えば図２のような端局装置９１が考えられる。図２の端局装置９１は、＃１〜＃ｍの複数の送受信機能部１１と、集線機能部１２と、を備える。
【００１０】
送受信機能部１１が有する機能ブロックを説明する。＃１〜＃ｍの送受信機能部１１は、それぞれ光受信部１１１と、復号部１１２と、振り分け部１１４と、上り送信タイミング制御部１１５と、制御信号処理部１１３とを備える。光受信部１１１は、配線２０−１〜２０−ｍで接続される受動光通信網＃１〜＃ｍからのバースト信号ＳＡＢを電気信号に変換し復号部１１２に転送する機能を有する。復号部１１２は、符号化された入力信号ＳＡＢを復号し、復号後のバースト信号からＢ−ＯＨとＦＥＣパリティを除去してペイロード部分を抽出した信号ＳＡＡとした上で、振り分け部１１４に転送する機能を有する。
【００１１】
振り分け部１１４は、入力信号ＳＡＡ中のデータ信号ＳＤを集線機能部１２の多重部１２１に転送する機能と、ＭＰＣＰ  Ｒｅｐｏｒｔ信号ＲＭを、各送受信機能部１１の上り送信タイミング制御部１１５に転送する機能と、ＭＰＣＰ  Ｒｅｐｏｒｔ以外の非データ信号（以降、制御信号ＳＣと呼ぶ）を制御信号処理部１１３に転送する機能と、を有する。制御信号として、加入者線終端装置９２の新規登録時に加入者線終端装置９２から送信されるＲｅｇｉｓｔｅｒ  Ｒｅｑｕｅｓｔ信号やＯＡＭ（Ｏｐｅｒａｔｉｏｎｓ、Ａｄｍｉｎｉｓｔｒａｔｉｏｎｓ、ａｎｄ  Ｍａｉｎｔｅｎａｎｃｅ）信号を想定するが、それ以外の非データ信号でも構わない。
【００１２】
＃１〜＃ｍの送受信機能部１１に備わる上り送信タイミング制御部１１５は、ＭＰＣＰ  Ｒｅｐｏｒｔ信号ＲＭを集線機能部１２の多重部１２２に転送する機能を有する。制御信号処理部１１３＃１〜＃ｍは、受信した制御信号ＳＣを処理する機能を有する。
【００１３】
集線機能部１２が有する機能ブロックを説明する。集線機能部１２は、多重部１２１と、多重部１２２と、集線上り送信タイミング制御部１２５と、を有する。多重部１２１は、複数のポートから受信した信号ＳＤを一時的に保持するバッファ機能と、バッファに蓄えられた信号ＳＤを時間的に多重化し、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、集線上り送信タイミング制御部１２５に転送する機能を有する。集線上り送信タイミング制御部１２５は、＃１〜＃ｍの送受信機能部１１へのＢ−ＯＨ多重帯域割り当て方法、あるいはＦＥＣ多重帯域割り当て方法、あるいはＢ−ＯＨおよびＦＥＣ多重帯域割り当て方法を実行する機能を有する。
【００１４】
図３を用いて、Ｂ−ＯＨ多重帯域割り当て方法について説明する。Ｂ−ＯＨ多重帯域割り当て方法は、送信許可量割り当て手順と、送信開始時刻割り当て手順と、を順に有する。ここでは、受動光通信網＃１からは、図３（ａ）のように、コードワード部分に１個のコードワード（コードワード＃１−１）が含まれるバースト信号ＳＡＢ＃１が配線２０−１を介して送信される。受動光通信網＃ｍからは、図３（ｂ）のように、コードワード部分に３個のコードワード（コードワード＃ｍ−１、＃ｍ−２、＃ｍ−３）が含まれるバースト信号ＳＡＢ＃ｍが配線２０−ｍを介して送信される。
【００１５】
まず、Ｂ−ＯＨ多重帯域割り当て方法における送信許可量割り当て手順について説明する。送信許可量割り当ての一例として、各送受信機能部１１に対して、当該送受信機能部１１が収容する加入者線終端装置９２からの送信要求量の総和の比に応じて、送信許可量を割り当てる方法が挙げられるが、それ以外の方法であっても構わない。
【００１６】
次に、Ｂ−ＯＨ多重帯域割り当て方法における送信開始時刻割り当て手順について説明する。集線上り送信タイミング制御部１２５は、まず、バースト信号ＳＡＢ＃ｍに含まれるバースト立ち上がり部及びバースト終了部のＢ−ＯＨの送信時間の合計時間Ｔｂを計算する。続いて、集線上り送信タイミング制御部１２５は、図３（ａ）及び（ｂ）のように、最初に送信させるバースト信号ＳＡＢ＃１と、その次に送信させるバースト信号ＳＡＢ＃ｍとが、最大で、時間Ｔｂだけ時間的に重なりあうように、バースト信号ＳＡＢ＃ｍを送信するタイミングを決定する。
【００１７】
図４を用いて、ＦＥＣ多重帯域割り当て方法について説明する。ＦＥＣ多重帯域割り当て方法は、送信許可量割り当て手順と、送信開始時刻割り当て手順と、を順に有する。ここでは、図４（ａ）のように、受動光通信網＃１からはコードワード部分に１個のコードワード（コードワード＃１−１）が含まれるバースト信号ＳＡＢ＃１が配線２０−１を介して送信される。受動光通信網＃ｍからは、図４（ｂ）のように、コードワード部分に３個のコードワード（コードワード＃ｍ−１、＃ｍ−２、＃ｍ−３）が含まれるバースト信号ＳＡＢ＃ｍが配線２０−ｍを介して送信される。
【００１８】
まず、ＦＥＣ多重帯域割り当て方法における送信許可量割り当て手順について説明する。送信許可量割り当て手順の一例として、各送受信機能部１１に対して、当該送受信機能部１１が収容する加入者線終端装置９２からの送信要求量の総和の比に応じて、送信許可量を割り当てる方法が挙げられるが、それ以外の方法であっても構わない。
【００１９】
次に、ＦＥＣ多重帯域割り当て方法における送信開始時刻割り当て手順について説明する。集線上り送信タイミング制御部１２５は、まず、バースト信号ＳＡＢ＃ｍに含まれるＦＥＣパリティ（パリティ＃ｍ−１、＃ｍ−２、＃ｍ−３）の送信時間の合計時間Ｔｆを計算する。続いて、集線上り送信タイミング制御部１２５は、図４（ａ）及び（ｂ）のように、最初に送信させるバースト信号ＳＡＢ＃１と、その次に送信させるバースト信号ＳＡＢ＃ｍとが、最大で、時間Ｔｆだけ時間的に重なりあうように、バースト信号ＳＡＢ＃ｍを送信するタイミングを決定する。
【００２０】
図５を用いて、Ｂ−ＯＨおよびＦＥＣ多重帯域割り当て方法について説明する。Ｂ−ＯＨおよびＦＥＣ多重帯域割り当て方法は、送信許可量割り当て手順と、送信開始時刻割り当て手順と、を順に有する。ここでは、受動光通信網＃１からは、図５（ａ）のように、コードワード部分に１個のコードワード（コードワード＃１−１）が含まれるバースト信号ＳＡＢ＃１が送信される。受動光通信網＃ｍからは、図５（ｂ）のように、コードワード部分に３個のコードワード（コードワード＃ｍ−１、＃ｍ−２、＃ｍ−３）が含まれるバースト信号ＳＡＢ＃ｍが送信される。
【００２１】
まず、Ｂ−ＯＨおよびＦＥＣ多重帯域割り当て方法における送信許可量割り当て手順について説明する。送信許可量割り当て手順の一例として、各送受信機能部１１に対して、当該送受信機能部１１が収容する加入者線終端装置９２からの送信要求量の総和の比に応じて、送信許可量を割り当てる方法が挙げられるが、それ以外の方法であっても構わない。
【００２２】
次に、Ｂ−ＯＨおよびＦＥＣ多重帯域割り当て方法における送信開始時刻割り当て手順について説明する。集線上り送信タイミング制御部１２５は、まず、バースト信号ＳＡＢ＃ｍに含まれるＢ−ＯＨの送信時間の合計時間Ｔｂと、バースト信号ＳＡＢ＃ｍに含まれるＦＥＣパリティ（パリティ＃ｍ−１、＃ｍ−２、＃ｍ−３）の送信時間の合計時間Ｔｆを計算する。続いて、集線上り送信タイミング制御部１２５は、図５（ａ）及び（ｂ）のように、最初に送信させるバースト信号ＳＡＢ＃１と、その次に送信させるバースト信号ＳＡＢ＃ｍとが、最大で、時間（Ｔｂ＋Ｔｆ）だけ時間的に重なりあうように、バースト信号ＳＡＢ＃ｍを送信するタイミングを決定する。
【００２３】
ここでは、集線上り送信タイミング制御部１２５が、端局装置９１が収容する全ての加入者線終端装置９２に対して一括で送信許可量と送信開始時刻を割り当てるかたちの、Ｂ−ＯＨ多重帯域割り当て方法と、ＦＥＣ多重帯域割り当て方法と、Ｂ−ＯＨおよびＦＥＣ多重帯域割り当て方法を紹介したが、これ以外の方法も考えられる。異なる受動光通信網に属する加入者線終端装置９２から送信される信号のＢ−ＯＨの送信時間、あるいはＦＥＣパリティの送信時間、あるいはその両方の送信時間の和を重ね合わせる帯域割り当て方法を具備していれば、端局装置９１の構成は上記の例に限定されるものではない。
【００２４】
例えば、集線上り送信タイミング制御部１２５は、各上り送信タイミング制御部１１５ごとに送信する送信許可量と送信開始時刻を割り当て、これをもとに、当該上り送信タイミング制御部１１５が、当該上り送信タイミング制御部１１５が収容する加入者線終端装置９２に対して送信許可量と送信開始時刻を割り当てるかたちの帯域割り当て方法も考えられる。この方法は、一括型の帯域割り当て方法と比較し、集線上り送信タイミング制御部１２５の計算負荷を軽減することができる。
【００２５】
集線上り送信タイミング制御部１２５の計算負荷をさらに軽減するために、集線上り送信タイミング制御部１２５は、各上り送信タイミング制御部１１５に対して、送信許可量のみを、あるいは送信開始時刻のみを割り当て、これをもとに、当該上り送信タイミング制御部１１５が、当該上り送信タイミング制御部１１５が収容する加入者線終端装置９２に対して送信許可量と送信開始時刻を割り当てるかたちの、帯域割り当て方法も考えられる。しかし、集線上り送信タイミング制御部１２５が各上り送信タイミング制御部１１５に対する送信開始時刻の割り当てを行わない場合、同時刻に到着する信号に対応するため、多重部１２１および多重部１２２に大きなバッファが必要になる。また、集線上り送信タイミング制御部１２５が各上り送信タイミング制御部１１５に対する送信許可量の割り当てを行わない場合、多重部１２１あるいは多重部１２２に大量の信号が集中し、一部の信号がバッファ溢れを起こす可能性がある。
【００２６】
もしくは、集線上り送信タイミング制御部１２５を設けずに帯域割り当て方法を実行する端局装置９１も考えられる。この端局装置９１においては、＃１〜＃ｍの送受信機能部１１に備わる上り送信タイミング制御部１１５の間でＭＰＣＰ  Ｒｅｐｏｒｔ信号ＲＭを共有し合い、一つまたは複数の上り送信タイミング制御部１１５が帯域割り当て方法を実行し、他の上り送信タイミング制御部１１５に対し、送信許可量と送信開始時刻、あるいは送信許可量のみ、あるいは送信開始時刻のみを通知する。この端局装置９１の場合、端局装置９１の機能である集線上り送信タイミング制御部１２５を削減することで、低コスト化を実現することができる。
【００２７】
しかし、図２に示す端局装置９１では、受動光通信網を収容する送受信機能部１１ごとに、制御信号処理部１１３等の同一の機能部をそれぞれ備える。このため、端局装置９１が多くの受動光通信網を収容すればするほど、収容する受動光通信網に対応する送受信機能部１１の数が増加し、送受信機能部１１の数だけ制御信号処理部１１３等の機能数が不必要に増加し、端局装置９１のコストが増大するという問題があった。また、多重部１２１から上位通信網への送信時のバッファを多く必要とする問題があった。
【先行技術文献】
【特許文献】
【００２８】
【特許文献１】特許第５５０４０８７号公報
【非特許文献】
【００２９】
【非特許文献１】ＩＥＥＥ  Ｓｔｄ．  ８０２．３−２０１２
【非特許文献２】Ｈ．  Ｏｕ，  Ｙ．  Ｓａｋａｉ，  Ｋ−Ｉ．  Ｓｕｚｕｋｉ，  ａｎｄ  Ｎ．  Ｙｏｓｈｉｍｏｔｏ，  ‘Ｉｎｔｅｇｒａｔｅｄ  ｄｙｎａｍｉｃ  ｂａｎｄｗｉｄｔｈ  ａｌｌｏｃａｔｉｏｎ  ｃｏｎｓｉｄｅｒｉｎｇ  ｏｖｅｒｈｅａｄ  ｉｎ  ｐａｓｓｉｖｅ  ｏｐｔｉｃａｌ  ｎｅｔｗｏｒｋ’，  Ａｓｉａ−Ｐａｃｉｆｉｃ  Ｃｏｎｆ．  ｏｎ  Ｃｏｍｍｕｎ．，  Ｂａｌｉ、  Ｉｎｄｏｎｅｓｉａ，  Ａｕｇｕｓｔ  ２０１３，  ｐｐ．３５７−３６１
【発明の概要】
【発明が解決しようとする課題】
【００３０】
本発明は、端局装置が多くの受動光通信網を収容すればするほど、収容する受動光通信網に対応する送受信機能部が増加し、送受信機能部の数だけ機能数が不必要に増加し、上位通信網への送信時のバッファを多く必要とし、端局装置のコストが増大する問題を解決することを目的とする。
【課題を解決するための手段】
【００３１】
上記の課題を解決するため、本発明は端局装置が備える複数の送受信機能部の一部の機能を送受信機能部間で共有する。
【００３２】
具体的には、本発明に係る端局装置は、１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、前記加入者線終端装置から送信された前記バースト信号を受信する複数の光受信部と、前記複数の光受信部が受信した各バースト信号を、前記光受信部の受信した前記バースト信号ごとに復号する複数の復号部と、前記復号部が復号した各バースト信号に含まれる、前記加入者線終端装置から送信された前記送信データ、前記加入者線終端装置が前記光受信部に信号を送信するタイミングを定めるための前記送信データに関する情報及び前記加入者線終端装置の制御を行うための制御信号を、前記光受信部の受信した前記バースト信号ごとに分離する複数の振り分け部と、前記複数の振り分け部から出力された前記複数の光受信部の受信信号に含まれる前記送信データを多重して上位通信網へ転送するデータ信号多重部と、前記振り分け部から出力された前記複数の光受信部の受信信号に含まれる前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記光受信部ごとに割り当てる集線上り送信タイミング制御部と、前記光受信部ごとに、前記集線上り送信タイミング制御部から割り当てられた上り送信タイミングを、当該光受信部に収容された前記加入者線終端装置ごとに割り当てる複数の上り送信タイミング制御部と、前記振り分け部から出力された前記制御信号に基づいて、前記複数の光受信部に収容される前記加入者線終端装置に対する制御を実行する制御信号処理部と、を備える。
【００３３】
具体的には、本発明に係る端局装置は、１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、前記加入者線終端装置から送信された前記バースト信号を受信する複数の光受信部と、前記複数の光受信部が受信した各バースト信号を、前記光受信部の受信した前記バースト信号ごとに復号する複数の復号部と、前記復号部が復号した各バースト信号に含まれる、前記加入者線終端装置から送信された前記送信データ及び前記加入者線終端装置が前記光受信部に信号を送信するタイミングを定めるための前記送信データに関する情報を、前記光受信部の受信した前記バースト信号ごとに分離する複数の振り分け部と、前記複数の振り分け部から出力された前記複数の光受信部の受信信号に含まれる前記送信データを多重して上位通信網へ転送するデータ信号多重部と、前記振り分け部から転送された前記複数の光受信部の受信信号に含まれる前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御部と、を備える。
【００３４】
本発明に係る端局装置では、前記複数の振り分け部は、前記光受信部の受信したバースト信号に含まれる、前記加入者線終端装置の制御を行うための制御信号を、前記光受信部の受信した前記バースト信号ごとにさらに分離し、前記複数の振り分け部から出力された前記制御信号に基づいて、前記複数の光受信部に収容される前記加入者線終端装置に対する制御を実行する制御信号処理部を、さらに備えてもよい。
【００３５】
具体的には、本発明に係る端局装置は、１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、前記加入者線終端装置から送信された前記バースト信号を受信する複数の光受信部と、前記複数の光受信部が受信した各バースト信号を、前記光受信部の受信した前記バースト信号ごとに復号する複数の復号部と、前記複数の復号部から出力された信号を多重する復号信号多重部と、前記復号信号多重部で多重された信号に含まれる、前記加入者線終端装置から送信された前記送信データ、前記加入者線終端装置が前記光受信部に信号を送信するタイミングを定めるための前記送信データに関する情報及び前記加入者線終端装置の制御を行うための制御信号を所定の方法で分離し、前記送信データを上位通信網へ転送する振り分け部と、前記振り分け部から出力された送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御部と、前記振り分け部から出力された前記制御信号に基づいて、前記複数の光受信部に収容される前記加入者線終端装置に対する制御を実行する制御信号処理部と、を備える。
【００３６】
本発明に係る端局装置では、前記加入者線終端装置から送信された前記バースト信号を受信する第２の光受信部と、前記第２の光受信部が受信した前記バースト信号を、前記第２の光受信部の受信した前記バースト信号ごとに復号する第２の復号部と、前記第２の復号部が復号した信号に含まれる、前記送信データ、前記送信データに関する情報及び前記制御信号を分離する第２の振り分け部と、前記振り分け部及び前記第２の振り分け部から出力された前記送信データを多重して上位通信網へ転送するデータ信号多重部と、をさらに備え、前記制御信号処理部は、前記振り分け部及び前記第２の振り分け部から出力された前記制御信号に基づいて、前記複数の光受信部に収容される前記加入者線終端装置及び前記第２の光受信部に収容される前記加入者線終端装置に対する制御を実行し、前記上り送信タイミング制御部は、前記振り分け部及び前記第２の振り分け部から出力された前記送信データに関する情報に基づいて、前記加入者線終端装置が収容先の前記光受信部及び前記第２の光受信部に信号を送信する上り送信タイミングを、前記バースト信号のうちの、バーストで転送されない部分、の送信時間が前記複数の光受信部及び前記第２の光受信部の間で重なるように、前記加入者線終端装置ごとに割り当ててもよい。
【００３７】
具体的には、本発明に係る端局装置は、１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置であって、前記加入者線終端装置から送信された前記バースト信号を受信する複数の光受信部と、前記複数の光受信部にて受信した各バースト信号を多重する受信信号多重部と、前記受信信号多重部から出力された信号を復号する復号部と、前記復号部で復号された信号に含まれる、前記加入者線終端装置から送信された前記送信データ、前記加入者線終端装置が前記光受信部に信号を送信するタイミングを定めるための前記送信データに関する情報及び前記加入者線終端装置の制御を行うための制御信号を分離し、前記送信データを上位通信網へ転送する振り分け部と、前記振り分け部から出力された前記加入者線終端装置ごとの前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御部と、前記振り分け部から出力された前記制御信号に基づいて、前記複数の光受信部に収容される前記加入者線終端装置に対する制御を実行する制御信号処理部と、を備える。
【００３８】
本発明に係る端局装置では、前記加入者線終端装置から送信された前記バースト信号を受信する第２の光受信部と、前記第２の光受信部が受信した各バースト信号を、前記第２の光受信部の受信した前記バースト信号ごとに復号する第２の復号部と、前記復号部および前記第２の復号部の出力信号を多重して前記振り分け部に出力する復号信号多重部と、をさらに備えてもよい。
【００３９】
具体的には、本発明に係る端局装置の受信方法は、１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置の受信方法であって、複数の光受信部が、前記加入者線終端装置から送信されたバースト信号を受信する光受信手順と、前記光受信部ごとに備わる複数の復号部が、前記光受信部が受信したバースト信号を復号する復号手順と、前記光受信部ごとに備わる複数の振り分け部が、前記復号部が復号した各バースト信号に含まれる、前記送信データ、前記送信データに関する情報及び前記加入者線終端装置の制御を行うための制御信号を分離する振り分け手順と、前記複数の光受信部に共通に備わるデータ信号多重部が、前記複数の振り分け部から出力された前記送信データを多重して上位通信網へ転送するデータ信号多重手順と、前記複数の光受信部に共通に備わる集線上り送信タイミング制御部が、前記複数の振り分け部から出力された前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記光受信部ごとに割り当て、前記光受信部ごとに備わる複数の上り送信タイミング制御部が、前記集線上り送信タイミング制御部から割り当てられた上り送信タイミングを、当該光受信部に収容された前記加入者線終端装置ごとに割り当てる上り送信タイミング制御手順と、前記複数の光受信部に共通に備わる制御信号処理部が、前記複数の振り分け部から出力された前記制御信号に基づいて、前記複数の光受信部に収容される前記加入者線終端装置に対する制御を実行する制御信号処理手順と、を実行する。
【００４０】
具体的には、本発明に係る端局装置の受信方法は、１以上の加入者線終端装置を収容する複数の光受信部を有し、前記加入者線終端装置の上り送信タイミングを制御するとともに前記加入者線終端装置から送信されたバースト信号に含まれる送信データを上位通信網へ転送する端局装置の受信方法であって、複数の光受信部が、前記加入者線終端装置から送信されたバースト信号を受信する光受信手順と、前記光受信部ごとに備わる複数の復号部が、前記光受信部が受信したバースト信号を復号する復号手順と、前記光受信部ごとに備わる複数の振り分け部が、前記復号部が復号した各バースト信号に含まれる、前記送信データ及び前記送信データに関する情報に分離する振り分け手順と、前記複数の光受信部に共通に備わるデータ信号多重部が、前記複数の振り分け部から出力された前記送信データを多重して上位通信網へ転送するデータ信号多重手順と、前記複数の光受信部に共通に備わる上り送信タイミング制御部が、前記複数の振り分け部から出力された前記送信データに関する情報に基づいて、前記加入者線終端装置が前記光受信部に信号を送信する上り信号タイミングを、前記バースト信号のうちの、バーストで転送されない部分、の送信時間が前記複数の光受信部間で重なるように、前記加入者線終端装置ごとに割り当てる上り送信タイミング制御手順と、を実行する。
【００４１】
なお、上記各発明は、可能な限り組み合わせることができる。
【発明の効果】
【００４２】
本発明は、局装置が多くの受動光通信網を収容すればするほど、収容する受動光通信網に対応する送受信機能部が増加し、送受信機能部の数だけ機能数が不必要に増加し、上位通信網への送信時のバッファを多く必要とし、端局装置のコストが増大する問題を解決することができる。
【００４３】
そのため、本発明により、複数の受動光通信網に収容された加入者線終端装置全てに対する一括の帯域割り当てを具備する端局装置において、端局装置の一部の機能ブロックを、複数の受動光通信網間で共有することで、端局装置の低コスト化が実現される。
【図面の簡単な説明】
【００４４】
【図１】バースト信号が有するパリティとＢ−ＯＨの一例を示す。
【図２】本発明に関連する複数の受動光通信網に収容された加入者線終端装置全てに対する一括の帯域割り当てを具備する端局装置の構成の一例を示す。
【図３】本発明に関連するＢ−ＯＨ多重帯域割り当て方法の一例であり、（ａ）は受動光通信網＃１から光受信部１１１に入力されるバースト信号ＳＡＢ＃１を示し、（ｂ）は受動光通信網＃ｍから光受信部１１１に入力されるバースト信号ＳＡＢ＃ｍを示し、（ｃ）は多重部１２１から上位通信網に転送されるデータ信号ＳＤ＃ｎを示す。
【図４】本発明に関連するＦＥＣ多重帯域割り当て方法の一例であり、（ａ）は受動光通信網＃１から光受信部１１１に入力されるバースト信号ＳＡＢ＃１を示し、（ｂ）は受動光通信網＃ｍから光受信部１１１に入力されるバースト信号ＳＡＢ＃ｍを示し、（ｃ）は多重部１２１から上位通信網に転送されるデータ信号ＳＤ＃ｎを示す。
【図５】本発明に関連するＢ−ＯＨ及びＦＥＣ多重帯域割り当て方法の一例であり、（ａ）は受動光通信網＃１から光受信部１１１に入力されるバースト信号ＳＡＢ＃１を示し、（ｂ）は受動光通信網＃ｍから光受信部１１１に入力されるバースト信号ＳＡＢ＃ｍを示し、（ｃ）は多重部１２１から上位通信網に転送されるデータ信号ＳＤ＃ｎを示す。
【図６】実施形態１及び９に係る端局装置の一例を示す。
【図７】実施形態１に係るＢ−ＯＨ多重帯域割り当て方法の一例であり、（ａ）は受動光通信網＃１から光受信部１１１に入力されるバースト信号ＳＡＢ＃１を示し、（ｂ）は受動光通信網＃ｍ１から光受信部１１１に入力されるバースト信号ＳＡＢ＃ｍ１を示し、（ｃ）は多重部１２１から上位通信網に転送されるデータ信号ＳＤ＃ｎを示す。
【図８】実施形態１に係るＦＥＣ多重帯域割り当て方法の一例であり、（ａ）は受動光通信網＃１から光受信部１１１に入力されるバースト信号ＳＡＢ＃１を示し、（ｂ）は受動光通信網＃ｍ１から光受信部１１１に入力されるバースト信号ＳＡＢ＃ｍ１を示し、（ｃ）は多重部１２１から上位通信網に転送されるデータ信号ＳＤ＃ｎを示す。
【図９】実施形態１に係るＢ−ＯＨ及びＦＥＣ多重帯域割り当て方法の一例であり、（ａ）は受動光通信網＃１から光受信部１１１に入力されるバースト信号ＳＡＢ＃１を示し、（ｂ）は受動光通信網＃ｍ１から光受信部１１１に入力されるバースト信号ＳＡＢ＃ｍ１を示し、（ｃ）は多重部１２１から上位通信網に転送されるデータ信号ＳＤ＃ｎを示す。
【図１０】実施形態２及び１０に係る端局装置の一例を示す。
【図１１】実施形態３及び１１に係る端局装置の一例を示す。
【図１２】実施形態４及び１２に係る端局装置の一例を示す。
【図１３】実施形態５及び１３に係る端局装置の一例を示す。
【図１４】実施形態６及び１４に係る端局装置の一例を示す。
【図１５】実施形態７及び１５に係る端局装置の一例を示す。
【図１６】実施形態８及び１６に係る端局装置の一例を示す。
【発明を実施するための形態】
【００４５】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００４６】
本実施形態に係る発明では、複数の送受信機能部１１からの制御信号ＳＣを端局装置９１の集線上り送信タイミング制御部１２５で処理する際、制御信号ＳＣがどの送受信機能部１１に属する加入者線終端装置９２から送信された信号かを判別する機能を実装させることで、各送受信機能部１１における制御信号処理部１１３や上り送信タイミング制御部１１５の機能を端局装置９１内で集線することを可能とし、より簡易な構造を実現する。また、集線機能部１２への上り送信タイミングを、各加入者線終端装置９２からのデータ送信タイミング確定の際に、各加入者線終端装置９２からの信号から上位通信網へ転送されない部分である信号立ち上がり部及び切断時データ及び同期用ビット等を除いて、各加入者線終端装置９２のデータ送信時期が重ならないように決定することで、端局装置９１から上部ネットワークへのデータ送信を効率化するとともに、多重部１２１内のデータバッファを削減する。
【００４７】
（実施形態１）
図６を用いて第一の実施形態を説明する。本実施形態に係る端局装置９１は、制御信号処理部１３を全ての受動光通信網で共有する例である。図６では、一例として、端局装置９１に受動光通信網＃１、＃ｍ１、＃ｍ２及び＃ｍ３が、それぞれ配線２０−１、２０−ｍ１、２０−ｍ２及び２０−ｍ３を介して接続されている例を示す。
【００４８】
具体的には、本実施形態に係る端局装置９１は、１以上の加入者線終端装置９２が接続された受動光通信網ごとに、光受信部１１１と、復号部１１２と、振り分け部１１４と、上り送信タイミング制御部１１５とを備える。端局装置９１は、全ての受動光通信網で共有する多重部１２１、１２２及び１２３と、集線上り送信タイミング制御部１２５と、制御信号処理部１３と、を備える。多重部１２１はデータ信号多重部として機能し、多重部１２２はＭＰＣＰ  Ｒｅｐｏｒｔ信号多重部として機能し、多重部１２３は制御信号多重部として機能する。
【００４９】
本実施形態に係る端局装置９１の受信方法は、端局装置９１が、光受信手順と、復号手順と、振り分け手順と、データ信号多重手順、上り送信タイミング制御手順及び制御信号処理手順の少なくともいずれかの手順と、を順に実行する。複数の光受信部１１１が光受信手順を実行し、複数の復号部１１２が復号手順を実行し、複数の振り分け部１１４が振り分け手順を実行し、多重部１２１がデータ信号多重手順を実行し、集線上り送信タイミング制御部１２５及び上り送信タイミング制御部１１５が上り送信タイミング制御手順を実行し、制御信号処理部１３が制御信号処理手順を実行する。
【００５０】
各機能ブロックを説明する。光受信部１１１は、受動光通信網＃１〜＃ｍ３からのバースト信号ＳＡＢを電気信号に変換し、復号部１１２に転送する機能を有する。復号部１１２は、符号化された入力信号ＳＡＢを光受信部１１１が受信した信号ＳＡＢごとに復号し、復号後のバースト信号からＢ−ＯＨとＦＥＣパリティを除去して信号ＳＡＡとした上で、信号ＳＡＡを振り分け部１１４に転送する機能を有する。
【００５１】
バースト信号ＳＡＢは、Ｂ−ＯＨ及びコードワードを含み、これらが符号化された信号である。コードワードは、ペイロード及びパリティを含む。信号ＳＡＡは、復号後のバースト信号に含まれるペイロードを抽出したものである。ペイロードは、データ信号ＳＤ、ＭＰＣＰ  Ｒｅｐｏｒｔ信号ＲＭ及びその他の制御信号ＳＣを含む。
【００５２】
振り分け部１１４は、信号ＳＡＡ中の送信データであるデータ信号ＳＤを分離して多重部１２１に転送する機能と、信号ＳＡＡ中のＭＰＣＰ  Ｒｅｐｏｒｔ信号ＲＭを分離して集線上り送信タイミング制御部１２５に転送する機能と、信号ＳＡＡ中のＭＰＣＰ  Ｒｅｐｏｒｔ信号ＲＭ以外の非データ信号（以降、制御信号ＳＣと呼ぶ）を分離して多重部１２３に転送する機能と、を有する。
【００５３】
データ信号ＳＤは、加入者線終端装置９２の送信データである。ＭＰＣＰ  Ｒｅｐｏｒｔ信号ＲＭは、加入者線終端装置９２の上り送信タイミングを割り当てる際に用いられる送信データに関する情報である。制御信号ＳＣは、加入者線終端装置９２の制御を行うための制御信号である。制御信号ＳＣとして、加入者線終端装置９２の新規登録時に加入者線終端装置９２から送信されるＲｅｇｉｓｔｅｒ  Ｒｅｑｕｅｓｔ信号やＯＡＭ（Ｏｐｅｒａｔｉｏｎｓ、Ａｄｍｉｎｉｓｔｒａｔｉｏｎｓ、ａｎｄ  Ｍａｉｎｔｅｎａｎｃｅ）信号を想定するが、それ以外の非データ信号でも構わない。
【００５４】
上り送信タイミング制御部１１５は、ＭＰＣＰ  Ｒｅｐｏｒｔ信号ＲＭを多重部１２２に転送する機能を有する。これにより、上り送信タイミング制御部１１５は、集線上り送信タイミング制御部１２５から割り当てられた上り送信タイミングを、光受信部１１１に収容された加入者線終端装置９２に割り当てる。
【００５５】
多重部１２１は、複数のポートから受信した信号ＳＤを一時的に保持するバッファ機能と、バッファに蓄えられた信号ＳＤを時間的に多重化してデータ信号ＳＤ＃ｎとし、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、集線上り送信タイミング制御部１２５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【００５６】
集線上り送信タイミング制御部１２５は、信号ＲＭに基づいて、加入者線終端装置９２が光受信部１１１に信号を送信する上り信号タイミングを、バースト信号のうちのバーストで転送されない部分の送信時間が複数の光受信部１１１間で重なるように、光受信部１１１ごとに割り当てる機能を有する。バースト信号のうちのバーストで転送されない部分の送信時間が複数の光受信部１１１間で重なるような割当方法は、例えば、受動光通信網＃１〜＃ｍ３へのＢ−ＯＨ多重帯域割り当て方法、あるいはＦＥＣ多重帯域割り当て方法、あるいはその両方を同時に行う帯域割り当て方法（以降、Ｂ−ＯＨおよびＦＥＣ多重帯域割り当て方法と呼ぶ）である。これにより、集線上り送信タイミング制御部１２５は、加入者線終端装置９２が収容先の光受信部１１１に信号を送信する上り送信タイミングを光受信部１１１ごとに割り当て、当該上り送信タイミングを上り送信タイミング制御部１１５に通知する。制御信号処理部１３は、受信した制御信号ＳＣを処理する機能を有する。
【００５７】
図７を用いて、Ｂ−ＯＨ多重帯域割り当て方法について説明する。Ｂ−ＯＨ多重帯域割り当て方法は、送信許可量割り当て手順と、送信開始時刻割り当て手順と、を順に有する。ここでは、受動光通信網＃１からは、図７（ａ）のように、コードワード部分に１個のコードワード（コードワード＃１−１）が含まれるバースト信号ＳＡＢ＃１が配線２０−１を介して送信される。受動光通信網＃ｍ１からは、図７（ｂ）のように、コードワード部分に３個のコードワード（コードワード＃ｍ１−１、＃ｍ１−２、＃ｍ１−３）が含まれるバースト信号ＳＡＢ＃ｍ１が配線２０−ｍ１を介して送信される。光受信部１１１＃１及び＃ｍ１は、それぞれ、バースト信号ＳＡＢ＃１及びＳＡＢ＃ｍ１を受信する。
【００５８】
まず、Ｂ−ＯＨ多重帯域割り当て方法における送信許可量割り当て手順について説明する。送信許可量割り当て手順の一例として、各受動光通信網に対して、当該受動光通信網が収容する加入者線終端装置９２からの送信要求量の総和の比に応じて、送信許可量を割り当てる方法が挙げられるが、それ以外の方法であっても構わない。
【００５９】
次に、Ｂ−ＯＨ多重帯域割り当て方法における送信開始時刻割り当て手順について説明する。集線上り送信タイミング制御部１２５は、まず、バースト信号ＳＡＢ＃ｍ１に含まれるＢ−ＯＨの送信時間の合計時間Ｔｂを計算する。Ｂ−ＯＨの送信時間の合計時間Ｔｂは、バースト立ち上がり部の時間ｔｂｔと、バースト終了部の時間ｔｂｅの和である。Ｔｂ、ｔｂｔ及びｔｂｅは、バースト信号のうちのバーストで転送されない部分に相当する。続いて、集線上り送信タイミング制御部１２５は、図７（ａ）及び（ｂ）のように、最初に送信させるバースト信号ＳＡＢ＃１と、その次に送信させるバースト信号ＳＡＢ＃ｍ１とが、最大で、合計時間Ｔｂだけ時間的に重なりあうように、バースト信号ＳＡＢ＃ｍ１を送信するタイミングを決定する。
【００６０】
図８を用いて、ＦＥＣ多重帯域割り当て方法について説明する。ＦＥＣ多重帯域割り当て方法は、送信許可量割り当て手順と、送信開始時刻割り当て手順と、を順に有する。ここでは、受動光通信網＃１からは、図８（ａ）のように、コードワード部分に１個のコードワード（コードワード＃１−１）が含まれるバースト信号ＳＡＢ＃１が配線２０−１を介して送信される。受動光通信網＃ｍ１からは、図８（ｂ）のように、コードワード部分に３個のコードワード（コードワード＃ｍ１−１、＃ｍ１−２、＃ｍ１−３）が含まれるバースト信号ＳＡＢ＃ｍ１が配線２０−ｍ１を介して送信される。
【００６１】
まず、ＦＥＣ多重帯域割り当て方法における送信許可量割り当て手順について説明する。送信許可量割り当て手順の一例として、各受動光通信網に対して、当該受動光通信網が収容する加入者線終端装置９２からの送信要求量の総和の比に応じて、送信許可量を割り当てる方法が挙げられるが、それ以外の方法であっても構わない。
【００６２】
次に、ＦＥＣ多重帯域割り当て方法における送信開始時刻割り当て手順について説明する。集線上り送信タイミング制御部１２５は、まず、バースト信号ＳＡＢ＃ｍ１に含まれるＦＥＣパリティ（パリティ＃ｍ１−１、＃ｍ１−２、＃ｍ１−３）の送信時間の合計時間Ｔｆを計算する。バースト信号ＳＡＢ＃ｍ１には３つのＦＥＣパリティが含まれている。このため、ＦＥＣパリティの送信時間の合計時間Ｔｆは、ＦＥＣパリティの送信時間ｔｆの３倍である。Ｔｆ及びｔｆは、バースト信号のうちのバーストで転送されない部分に相当する。続いて、集線上り送信タイミング制御部１２５は、図８（ａ）及び（ｂ）のように、最初に送信させるバースト信号ＳＡＢ＃１と、その次に送信させるバースト信号ＳＡＢ＃ｍ１とが、最大で、時間Ｔｆだけ時間的に重なりあうように、バースト信号ＳＡＢ＃ｍを送信するタイミングを決定する。
【００６３】
図９を用いて、Ｂ−ＯＨおよびＦＥＣ多重帯域割り当て方法について説明する。Ｂ−ＯＨおよびＦＥＣ多重帯域割り当て方法は、送信許可量割り当て手順と、送信開始時刻割り当て手順と、を順に有する。ここでは、受動光通信網＃１からは、図９（ａ）のように、コードワード部分に１個のコードワード（コードワード＃１−１）が含まれるバースト信号ＳＡＢ＃１が配線２０−１を介して送信される。受動光通信網＃ｍ１からは、図９（ｂ）のように、コードワード部分に３個のコードワード（コードワード＃ｍ１−１、＃ｍ１−２、＃ｍ１−３）が含まれるバースト信号ＳＡＢ＃ｍ１が配線２０−ｍ１を介して送信される。
【００６４】
まず、Ｂ−ＯＨおよびＦＥＣ多重帯域割り当て方法における送信許可量割り当て手順について説明する。送信許可量割り当て手順の一例として、各受動光通信網に対して、当該受動光通信網が収容する加入者線終端装置９２からの送信要求量の総和の比に応じて、送信許可量を割り当てる方法が挙げられるが、それ以外の方法であっても構わない。
【００６５】
次に、Ｂ−ＯＨおよびＦＥＣ多重帯域割り当て方法における送信開始時刻割り当て手順について説明する。集線上り送信タイミング制御部１２５は、まず、バースト信号ＳＡＢ＃ｍ１に含まれるＢ−ＯＨの送信時間の合計時間Ｔｂと、バースト信号ＳＡＢ＃ｍ１に含まれるＦＥＣパリティ（パリティ＃ｍ１−１、＃ｍ１−２、＃ｍ１−３）の送信時間の合計時間Ｔｆを計算する。続いて、Ｂ−ＯＨの送信時間の合計時間Ｔｂと、ＦＥＣパリティの送信時間の合計時間Ｔｆの和を求める。ＴｂとＴｆの和は、バースト立ち上がり部の時間ｔｂｔと、バースト終了部の時間ｔｂｅと、ＦＥＣパリティの送信時間ｔｆの３倍の和である。Ｔｆ、ｔｂｔ、ｔｂｅ及びｔｆは、バースト信号のうちのバーストで転送されない部分に相当する。続いて、集線上り送信タイミング制御部１２５は、図９（ａ）及び（ｂ）のように、最初に送信させるバースト信号ＳＡＢ＃１と、その次に送信させるバースト信号ＳＡＢ＃ｍ１とが、最大で、時間（Ｔｂ＋Ｔｆ）だけ時間的に重なりあうように、バースト信号ＳＡＢ＃ｍ１を送信するタイミングを決定する。
【００６６】
なお、Ｂ−ＯＨ多重帯域割り当て方法、ＦＥＣ多重帯域割り当て方法及びＢ−ＯＨおよびＦＥＣ多重帯域割り当て方法を適用する際に、バースト信号が同期用ビットや切断時データ等のバーストで転送されないデータを更に含む場合には、バースト信号を重ねあわせる時間を、バースト信号のうちのバーストで転送されない部分の合計時間の範囲で、バースト信号を重ねあわせてもよい。
【００６７】
ここでは、集線上り送信タイミング制御部１２５が、端局装置９１が収容する全ての加入者線終端装置９２に対して一括で送信許可量と送信開始時刻を割り当てるかたちの、Ｂ−ＯＨ多重帯域割り当て方法と、ＦＥＣ多重帯域割り当て方法と、Ｂ−ＯＨおよびＦＥＣ多重帯域割り当て方法を紹介したが、これ以外の方法も考えられる。異なる受動光通信網に属する加入者線終端装置９２から送信される信号のＢ−ＯＨの送信時間、あるいはＦＥＣパリティの送信時間、あるいはその両方の送信時間の和を重ね合わせる帯域割り当て方法を具備していれば、端局装置９１の構成は上記の例に限定されるものではない。他の実施形態についても同様である。
【００６８】
したがって、本実施形態では、集線上り送信タイミング制御部１２５は、全ての加入者線終端装置９２が送信するバースト信号のうちのバーストで転送されない部分の送信時間の合計値の範囲で加入者線終端装置９２が光受信部１１１に送信する信号を重ねる。また、集線上り送信タイミング制御部１２５は、送信データが多重部１２１に到着する時期が複数の光受信部１１１間で重ならないよう、加入者線終端装置９２が光受信部１１１に信号を送信する上り送信タイミングを、光受信部１１１ごとに割り当てる。
【００６９】
例えば、集線上り送信タイミング制御部１２５は、＃１〜＃ｍの受動光通信網に対応する上り送信タイミング制御部１１５ごとに送信する送信許可量と送信開始時刻を割り当て、これをもとに、当該上り送信タイミング制御部１１５が、当該上り送信タイミング制御部１１５が収容する加入者線終端装置９２に対して送信許可量と送信開始時刻を割り当てるかたちの帯域割り当て方法も考えられる。この方法は、一括型の帯域割り当て方法と比較し、集線上り送信タイミング制御部１２５の計算負荷を軽減することができる。
【００７０】
集線上り送信タイミング制御部１２５の計算負荷をさらに軽減するために、集線上り送信タイミング制御部１２５は、＃１〜＃ｍの受動光通信網に対応する上り送信タイミング制御部１１５に対して、送信許可量のみを、あるいは送信開始時刻のみを割り当て、これをもとに、当該上り送信タイミング制御部１１５が、当該上り送信タイミング制御部１１５が収容する加入者線終端装置９２に対して送信許可量と送信開始時刻を割り当てるかたちの、帯域割り当て方法も考えられる。しかし、集線上り送信タイミング制御部１２５が各上り送信タイミング制御部１１５に対する送信開始時刻の割り当てを行わない場合、同時刻に到着する信号に対応するため、多重部１２１および多重部１２２に大きなバッファが必要になる。また、集線上り送信タイミング制御部１２５が各上り送信タイミング制御部１１５に対する送信許可量の割り当てを行わない場合、多重部１２１あるいは多重部１２２及び１２３に大量の信号が集中し、一部の信号がバッファ溢れを起こす可能性がある。
【００７１】
もしくは、集線上り送信タイミング制御部１２５を設けずに帯域割り当て方法を実行する端局装置９１も考えられる。この端局装置９１においては、＃１〜＃ｍの受動光通信網に対応する上り送信タイミング制御部１１５の間でＭＰＣＰ  Ｒｅｐｏｒｔ信号ＲＭを共有し合い、一つまたは複数の上り送信タイミング制御部１１５が帯域割り当て方法を実行し、他の上り送信タイミング制御部１１５に対し、送信許可量と送信開始時刻、あるいは送信許可量のみ、あるいは送信開始時刻のみを通知する。この端局装置９１の場合、端局装置９１の機能のうち集線上り送信タイミング制御部１２５を削減することができるので、低コスト化を実現することができる。
【００７２】
実施形態１では、端局装置９１に多重部１２３を設けて制御信号処理部１３を集約することで、送受信機能部１１が受動光通信網ごとに必要としていた機能を削減し、端局装置９１の低コスト化を実現することができる。
【００７３】
（実施形態２）
図１０を用いて第二の実施形態を説明する。本実施形態に係る端局装置９１は、上り送信タイミング制御部１５を全ての受動光通信網で共有する例である。図１０では、一例として、端局装置９１に受動光通信網＃１、＃ｍ１、＃ｍ２及び＃ｍ３が接続されている例を示す。
【００７４】
具体的には、端局装置９１は、受動光通信網ごとに、光受信部１１１と、復号部１１２と、振り分け部１１４と、制御信号処理部１１３とを備える。また、端局装置９１は、全ての受動光通信網で共有する多重部１２１及び１２２と、上り送信タイミング制御部１５と、を備える。
【００７５】
本実施形態に係る端局装置９１の受信方法は、端局装置９１が、光受信手順と、復号手順と、振り分け手順と、データ信号多重手順、上り送信タイミング制御手順及び制御信号処理手順の少なくともいずれかの手順と、を順に実行する。複数の光受信部１１１が光受信手順を実行し、複数の復号部１１２が復号手順を実行し、複数の振り分け部１１４が振り分け手順を実行し、多重部１２１がデータ信号多重手順を実行し、上り送信タイミング制御部１５が上り送信タイミング制御手順を実行し、複数の制御信号処理部１１３が制御信号処理手順を実行する。
【００７６】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化された入力信号ＳＡＢを復号し、Ｂ−ＯＨとＦＥＣパリティを除去して信号ＳＡＡとした上で、振り分け部１１４＃１〜＃ｍ３に転送する機能を有する。
【００７７】
振り分け部１１４は、信号ＳＡＡ中のデータ信号ＳＤを多重部１２１に転送する機能と、信号ＳＡＡ中のＭＰＣＰ  Ｒｅｐｏｒｔ信号ＲＭを多重部１２２に転送する機能と、信号ＳＡＡ中のその他の制御信号ＳＣを制御信号処理部１１３に転送する機能と、を有する。制御信号処理部１１３は、制御信号ＳＣを処理する機能を有する。
【００７８】
多重部１２１は、複数のポートから受信した信号ＳＤを一時的に保持するバッファ機能と、バッファに蓄えられた信号ＳＤを時間的に多重化してデータ信号ＳＤ＃ｎとし、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。
【００７９】
実施形態２では、端局装置９１での図２の上り送信タイミング制御部１１５と集線上り送信タイミング制御部１２５の機能を、共通の上り送信タイミング制御部１５に集約することで、受動光通信網ごとに必要な機能を削減し、端局装置９１の低コスト化を実現することができる。
【００８０】
（実施形態３）
図１１を用いて第三の実施形態を説明する。本実施形態に係る端局装置９１は、上り送信タイミング制御部１５および制御信号処理部１３を全ての受動光通信網で共有する例である。本実施形態が実施形態１と異なる点は、制御信号処理部１３だけでなく、上り送信タイミング制御部１５も全ての受動光通信網で共有する点である。
【００８１】
具体的には、本実施形態に係る端局装置９１は、受動光通信網ごとに光受信部１１１と、復号部１１２と、振り分け部１１４と、を備える。また、端局装置９１は、全ての受動光通信網で共有する、多重部１２１、１２２及び１２３と、上り送信タイミング制御部１５と、制御信号処理部１３と、を備える。
【００８２】
本実施形態に係る端局装置９１の受信方法は、端局装置９１が、光受信手順と、復号手順と、振り分け手順と、データ信号多重手順、上り送信タイミング制御手順及び制御信号処理手順の少なくともいずれかの手順と、を順に実行する。複数の光受信部１１１が光受信手順を実行し、複数の復号部１１２が復号手順を実行し、複数の振り分け部１１４が振り分け手順を実行し、多重部１２１がデータ信号多重手順を実行し、上り送信タイミング制御部１５が上り送信タイミング制御手順を実行し、制御信号処理部１３が制御信号処理手順を実行する。
【００８３】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化されたバースト信号ＳＡＢを復号し、Ｂ−ＯＨとＦＥＣパリティを除去して信号ＳＡＡとした上で、振り分け部１１４に転送する機能を有する。振り分け部１１４は、信号ＳＡＡ中のデータ信号ＳＤを多重部１２１に転送する機能と、信号ＳＡＡ中のＭＰＣＰ  Ｒｅｐｏｒｔ信号ＲＭを多重部１２２に転送する機能と、信号ＳＡＡ中のその他の制御信号ＳＣを多重部１２３に転送する機能と、を有する。
【００８４】
多重部１２１は、複数のポートから受信した信号ＳＤを一時的に保持するバッファ機能と、バッファに蓄えられた信号ＳＤを時間的に多重化してデータ信号ＳＤ＃ｎとし、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【００８５】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。制御信号処理部１３は、制御信号ＳＣを処理する機能を有する。
【００８６】
実施形態３では、図２の上り送信タイミング制御部１１５と集線上り送信タイミング制御部１２５の機能を、共通の上り送信タイミング制御部１５に集約し、さらに多重部１２３を設けて制御信号処理部１１３を制御信号処理部１３に集約することによって、受動光通信網ごとに必要な機能を削減し、端局装置９１の低コスト化を実現する。
【００８７】
実施形態３が実施形態１と異なる点は、端局装置９１の制御信号処理部１３だけでなく、上り送信タイミング制御部１５も全ての受動光通信網で共有する点である。したがって、実施形態３は、受動光通信網ごとに必要な機能を、実施形態１より削減することができる。
【００８８】
（実施形態４）
図１２を用いて第四の実施形態を説明する。本実施形態に係る端局装置９１は、上り信号送信タイミング制御部１５と制御信号処理部１３と振り分け部１４を全ての受動光通信網で共有する例である。実施形態４が実施形態３と異なる点は、上り送信タイミング制御部１５と制御信号処理部１３だけでなく、振り分け部１４も全ての受動光通信網で共有する点である。
【００８９】
本実施形態に係る端局装置９１は、受動光通信網ごとに光受信部１１１と、復号部１１２と、を備える。また、端局装置９１は、全ての受動光通信網で共有する多重部１６と、振り分け部１４と、上り送信タイミング制御部１５と、制御信号処理部１３と、を備える。多重部１６は、復号信号多重部として機能する。
【００９０】
本実施形態に係る端局装置９１の受信方法は、端局装置９１が、光受信手順と、復号手順と、復号信号多重手順と、振り分け手順と、上り送信タイミング制御手順及び制御信号処理手順の少なくともいずれかの手順と、を順に実行する。複数の光受信部１１１が光受信手順を実行し、複数の復号部１１２が復号手順を実行し、多重部１６が復号信号多重手順を実行し、振り分け部１１４が振り分け手順を実行し、上り送信タイミング制御部１５が上り送信タイミング制御手順を実行し、制御信号処理部１３が制御信号処理手順を実行する。
【００９１】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化された入力信号ＳＡＢを復号し、Ｂ−ＯＨとＦＥＣパリティを除去して信号ＳＡＡとした上で、多重部１６に転送する機能を有する。
【００９２】
多重部１６は、複数のポートから受信した信号ＳＡＡを一時的に保持するバッファ機能と、バッファに蓄えられた信号ＳＡＡを時間的に多重し、振り分け部１４に転送する機能を有する。振り分け部１４は、入力信号ＳＡＡ中のデータ信号ＳＤを多重化してデータ信号ＳＤ＃ｎとし、配線２０−ｎを介して上位通信網に転送する機能と、ＭＰＣＰ  Ｒｅｐｏｒｔ信号ＲＭを上り送信タイミング制御部１５に転送する機能と、その他の制御信号ＳＣを制御信号処理部１３に転送する機能と、を有する。
【００９３】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。制御信号処理部１３は、受信した制御信号ＳＣを処理する機能を有する。
【００９４】
実施形態４は、復号部１１２と振り分け部１４の間に多重部１６を設けることで、上り送信タイミング制御部１５と制御信号処理部１３と振り分け部１４を全ての受動光通信網で共有する。これにより、本実施形態では、受動光通信網ごとに必要な機能を削減し、端局装置９１の低コスト化を実現することができる。
【００９５】
本実施形態が実施形態３と異なる点は、上り送信タイミング制御部１５と制御信号処理部１３だけでなく、振り分け部１４も全ての受動光通信網で共有する点である。したがって、本実施形態は、受動光通信網ごとに必要な機能を、実施形態３より削減することができる。
【００９６】
（実施形態５）
図１３を用いて第五の実施形態を説明する。本実施形態に係る端局装置９１は、上り送信タイミング制御部１５と制御信号処理部１３を全ての受動光通信網で共有し、さらに振り分け部１４を一部の受動光通信網で共有する例である。実施形態５が実施形態４と異なる点は、一つの振り分け部１４が全ての受動光通信網を収容するのではなく、一部の受動光通信網のみを収容する点である。
【００９７】
具体的には、本実施形態に係る端局装置９１は、受動光通信網ごとに、光受信部１１１と、復号部１１２と、を備える。また、端局装置９１は、全ての受動光通信網で共有する多重部１２１、１２２及び１２３と、上り送信タイミング制御部１５と、制御信号処理部１３とを備える。また、本実施形態に係る端局装置９１は、受動光通信網＃１及び＃ｍ１で共有する振り分け部１４と、受動光通信網＃ｍ２〜＃ｍ３ごとに備わる振り分け部１１４と、を備える。受動光通信網＃ｍ２〜＃ｍ３ごとに備わる光受信部１１１は第２の光受信部として機能し、受動光通信網＃ｍ２〜＃ｍ３ごとに備わる復号部１１２は第２の復号部として機能し、受動光通信網＃ｍ２〜＃ｍ３ごとに備わる振り分け部１１４は第２の振り分け部として機能する。
【００９８】
ここで、図１３の端局装置９１の振り分け部１４のように、複数の受動光通信網を収容する振り分け部１４を、特に「複数収容振り分け部」と呼ぶ。図１３の端局装置９１は、複数収容振り分け部として機能する一つの振り分け部１４と、受動光通信網＃ｍ２、＃ｍ３を一つずつ収容する振り分け部１１４を備える構成を示すが、これ以外の構成であっても構わない。例えば、複数収容振り分け部１４が二つ以上存在しても構わないし、全ての振り分け部が複数収容振り分け部１４であっても構わない。
【００９９】
本実施形態に係る端局装置９１の受信方法は、端局装置９１が、光受信手順と、復号手順と、復号信号多重手順と、振り分け手順と、データ信号多重手順、上り送信タイミング制御手順及び制御信号処理手順の少なくともいずれかの手順と、を順に実行する。複数の光受信部１１１が光受信手順を実行し、複数の復号部１１２が復号手順を実行し、多重部１６が復号信号多重手順を実行し、振り分け部１４及び１１４が振り分け手順を実行し、多重部１２１がデータ信号多重手順を実行し、上り送信タイミング制御部１５が上り送信タイミング制御手順を実行し、制御信号処理部１３が制御信号処理手順を実行する。
【０１００】
各機能ブロックを説明する。光受信部１１１は、受動光通信網＃１〜＃ｍ３からのバースト信号ＳＡＢを電気信号に変換し復号部１１２に転送する機能を有する。＃１及び＃ｍ１の復号部１１２は、符号化された入力信号ＳＡＢを復号し、Ｂ−ＯＨとＦＥＣパリティを除去して信号ＳＡＡとした上で、多重部１６に転送する機能を有する。＃ｍ２及び＃ｍ３の復号部１１２は、符号化された入力信号ＳＡＢを復号し、Ｂ−ＯＨとＦＥＣパリティを除去して信号ＳＡＡとした上で、振り分け部１１４に転送する機能を有する。
【０１０１】
多重部１６は、複数のポートから受信した信号ＳＡＡを一時的に保持するバッファ機能と、バッファに蓄えられた信号ＳＡＡを時間的に多重し、振り分け部１４に転送する機能を有する。振り分け部１４及び１１４は、入力信号ＳＡＡ中のデータ信号ＳＤを多重部１２１に転送する機能と、ＭＰＣＰ  Ｒｅｐｏｒｔ信号ＲＭを多重部１２２に転送する機能と、その他の制御信号ＳＣを多重部１２３に転送する機能と、を有する。
【０１０２】
多重部１２１は、複数のポートから受信した信号ＳＤを一時的に保持するバッファ機能と、バッファに蓄えられた信号ＳＤを時間的に多重化してデータ信号ＳＤ＃ｎとし、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【０１０３】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。制御信号処理部１３は、受信した制御信号ＳＣを処理する機能を有する。
【０１０４】
実施形態５は、＃１〜＃ｍ１の復号部１１２と振り分け部１４の間に多重部１６を設けることで、上り送信タイミング制御部１５と制御信号処理部１３を全ての受動光通信網で共有し、さらに振り分け部１４を一部の受動光通信網で共有する。これにより、実施形態５は、受動光通信網ごとに必要な機能を削減し、端局装置９１の低コスト化を実現する。
【０１０５】
実施形態５が実施形態４と異なる点は、一つの振り分け部１４が全ての受動光通信網を収容するのではなく、一部の受動光通信網のみを収容する点である。よって、実施形態５は、実施形態４より多くの振り分け部１４及び１１４を備えるので、振り分け部１４の機能を簡略化することができる。
【０１０６】
（実施形態６）
図１４を用いて第六の実施形態を説明する。本実施形態に係る端局装置９１は、上り送信タイミング制御部１５と、制御信号処理部１３と、振り分け部１４と、復号部１７を全ての受動光通信網で共有する例である。実施形態６が実施形態４と異なる点は、全ての受動光通信網が、上り送信タイミング制御部１５と、制御信号処理部１３と、振り分け部１４だけでなく、復号部１７も共有することである。
【０１０７】
具体的には、本実施形態に係る端局装置９１は、受動光通信網ごとに光受信部１１１を備える。また、端局装置９１は、全ての受動光通信網で共有する多重部１８と、復号部１７と、振り分け部１４と、上り送信タイミング制御部１５と、制御信号処理部１３と、を備える。多重部１８は、受信信号多重部として機能する。
【０１０８】
本実施形態に係る端局装置９１の受信方法は、端局装置９１が、光受信手順と、受信信号多重手順と、復号手順と、振り分け手順と、データ信号多重手順、上り送信タイミング制御手順及び制御信号処理手順の少なくともいずれかの手順と、を順に実行する。複数の光受信部１１１が光受信手順を実行し、多重部１８が受信信号多重手順を実行し、復号部１７が復号手順を実行し、振り分け部１４が振り分け手順を実行し、振り分け部１４がデータ信号多重手順を実行し、上り送信タイミング制御部１５が上り送信タイミング制御手順を実行し、制御信号処理部１３が制御信号処理手順を実行する。
【０１０９】
各機能ブロックを説明する。光受信部１１１は、受動光通信網＃１〜＃ｍ３からのバースト信号ＳＡＢを電気信号に変換し多重部１８に転送する機能を有する。多重部１８は、複数のポートから受信ＳＡＢした信号を一時的に保持するバッファ機能と、バッファに蓄えられた信号ＳＡＢを時間的に多重し、復号部１７に転送する機能を有する。復号部１７は、符号化された入力信号ＳＡＢを復号し、Ｂ−ＯＨとＦＥＣパリティを除去して信号ＳＡＡとした上で、振り分け部１４に転送する機能を有する。
【０１１０】
振り分け部１４は、入力信号ＳＡＡ中のデータ信号ＳＤを多重化してデータ信号ＳＤ＃ｎとし、配線２０−ｎを介して上位通信網に転送する機能と、ＭＰＣＰ  Ｒｅｐｏｒｔ信号ＲＭを上り送信タイミング制御部１５に転送する機能と、その他の制御信号ＳＣを制御信号処理部１３に転送する機能と、を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。制御信号処理部１３は、受信した制御信号ＳＣを処理する機能を有する。
【０１１１】
実施形態６では、＃１〜＃ｍ３の光受信部１１１と復号部１７の間に大きなバッファを持つ多重部１８を設け、さらに多重部１８と復号部１７の間に大きな伝送帯域を持つ配線２１−１を設けることで、上り送信タイミング制御部１５と制御信号処理部１３と振り分け部１４と復号部１７を全ての受動光通信網で共有する。これにより、実施形態６は、受動光通信網ごとに必要な機能を削減し、端局装置９１の低コスト化を実現する。
【０１１２】
実施形態６が実施形態４と異なる点は、全ての受動光通信網が、上り送信タイミング制御部１５と制御信号処理部１３と振り分け部１４だけでなく、復号部１７も共有することである。したがって、実施形態６は、受動光通信網ごとに必要な機能を、実施形態４より削減することができる。一方で、実施形態６では、実施形態４の多重部１６に必要な量より大きなバッファが必要な多重部１８と、多重部１８と復号部１７の間に大きな伝送帯域を持つ配線２１−１と、が必要になる。以下で、実施形態６の多重部１８が実施形態４の多重部１８よりも大きなバッファを持つ必要がある理由と、多重部１８と復号部１７の間の配線２１−１で少なくとも振り分け部１４と上位通信網の間の配線２１−２より大きな伝送帯域が必要となる理由とを、説明する。
【０１１３】
まず、実施形態６の多重部１８が実施形態４の多重部１６よりも大きなバッファを持つ必要がある理由を説明する。Ｂ−ＯＨ多重帯域割り当て方法、あるいはＦＥＣ多重帯域割り当て方法、あるいはＢ−ＯＨおよびＦＥＣ多重帯域割り当て方法は、異なる受動光通信網から送信されるバースト信号のＢ−ＯＨ送信時間、あるいはＦＥＣパリティ送信時間、あるいはその両方の送信時間和を重ね合わせることによって、端局装置９１から上位通信網に転送される際の帯域利用効率の改善を実現する帯域割り当て方法である。したがって、実施形態６の光受信部１１１から転送された復号前の信号ＳＡＢの一部は、同一時刻に多重部１８に到着する。ゆえに、多重部１８は、衝突による信号損失を回避するために、少なくともＢ−ＯＨ、あるいはＦＥＣパリティ、あるいはその両方の重ね合わせ部分の信号を一時的に保持できる量のバッファを有する必要がある。
【０１１４】
一方で、実施形態４の多重部１６は、復号部１１２で復号後の信号ＳＡＡを多重するため、同一時刻に受信する信号の量は、実施形態６の多重部１８より少ない。したがって、実施形態４の多重部１６に必要なバッファ量は、実施形態６の多重部１８に必要なバッファ量より少ない。
【０１１５】
次に、多重部１８と復号部１７の間の配線２１−１は、少なくとも端局装置９１と上位通信網の間の配線２１−２より、大きな伝送帯域を持つ必要がある理由を説明する。配線２１−１は復号前の信号ＳＡＢを伝送するのに対し、配線２１−２は復号後のデータ信号ＳＡＡを伝送する。したがって、少なくともＢ−ＯＨとＦＥＣパリティを伝送する必要があるぶんだけ、配線２１−１は配線２１−２より大きな伝送帯域が必要となる。
【０１１６】
（実施形態７）
図１５を用いて第七の実施形態を説明する。本実施形態に係る端局装置９１は、上り送信タイミング制御部１５と制御信号処理部１３と振り分け部１４を全ての受動光通信網で共有し、さらに復号部１７を一部の受動光通信網で共有する例である。実施形態７が実施形態６と異なる点は、一つの復号部１７が全ての受動光通信網を収容するのではなく、一部の受動光通信網のみを収容する点である。
【０１１７】
具体的には、本実施形態に係る端局装置９１は、受動光通信網ごとに、光受信部１１１を備える。また、端局装置９１は、全ての受動通信網＃１〜＃ｍで共有する、多重部１６と、振り分け部１４と、上り送信タイミング制御部１５と、制御信号処理部１３と、を備える。また、本実施形態に係る端局装置９１は、受動光通信網＃１及び＃ｍ１で共有する多重部１８及び復号部１７と、受動光通信網＃ｍ２〜＃ｍ３ごとに備わる復号部１１２と、を備える。受動光通信網＃ｍ２〜＃ｍ３ごとに備わる光受信部１１１は第２の光受信部として機能し、受動光通信網＃ｍ２〜＃ｍ３ごとに備わる復号部１１２は第２の復号部として機能する。
【０１１８】
ここで、図１５の端局装置９１の復号部１７のように、複数の受動光通信網を収容する復号部を特に「複数収容復号部」と呼ぶ。図１５の端局装置９１は、複数収容復号部として機能する一つの復号部１７と、受動光通信網＃ｍ２、＃ｍ３を一つずつ収容する復号部１１２を備える構成を示すが、これ以外の構成であっても構わない。例えば、複数収容復号部１７が二つ以上存在しても構わないし、全ての復号部１１２が複数収容復号部１７であっても構わない。
【０１１９】
本実施形態に係る端局装置９１の受信方法は、端局装置９１が、光受信手順と、受信信号多重手順と、復号手順と、復号信号多重手順と、振り分け手順と、データ信号多重手順、上り送信タイミング制御手順及び制御信号処理手順の少なくともいずれかの手順と、を順に実行する。複数の光受信部１１１が光受信手順を実行し、多重部１８が受信信号多重手順を実行し、復号部１７及び１１２が復号手順を実行し、多重部１６が復号信号多重手順を実行し、振り分け部１４が振り分け手順を実行し、振り分け部１４がデータ信号多重手順を実行し、上り送信タイミング制御部１５が上り送信タイミング制御手順を実行し、制御信号処理部１３が制御信号処理手順を実行する。
【０１２０】
各機能ブロックを説明する。＃１〜＃ｍ１の光受信部１１１は、受動光通信網＃１〜＃ｍ１からのバースト信号ＳＡＢを電気信号に変換し多重部１８に転送する機能を有する。＃ｍ２及び＃ｍ３の光受信部１１１は、受動光通信網＃ｍ２及びｍ３からのバースト信号ＳＡＢを電気信号に変換し復号部１１２に転送する機能を有する。多重部１８は、複数のポートから受信した信号ＳＡＢを一時的に保持するバッファ機能と、バッファに蓄えられた信号ＳＡＢを時間的に多重し、復号部１７に転送する機能を有する。
【０１２１】
復号部１７及び１１２は、符号化された入力信号ＳＡＢを復号し、Ｂ−ＯＨとＦＥＣパリティを除去して信号ＳＡＡとした上で、多重部１６に転送する機能を有する。多重部１６は、複数のポートから受信した信号ＳＡＡを一時的に保持するバッファ機能と、バッファに蓄えられた信号ＳＡＡを時間的に多重し、振り分け部１４に転送する機能を有する。
【０１２２】
振り分け部１４は、入力信号中のデータ信号ＳＤを多重化してデータ信号ＳＤ＃ｎとし、配線２０−ｎを介して上位通信網に転送する機能と、ＭＰＣＰ  Ｒｅｐｏｒｔ信号ＲＭを上り送信タイミング制御部１５に転送する機能と、その他の制御信号ＳＣを制御信号処理部１３に転送する機能と、を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。制御信号処理部１３は、受信した制御信号ＳＣを処理する機能を有する。
【０１２３】
実施形態７は、光受信部１１１と復号部１１２の間に多重部１８を設け、また復号部１７及び１１２と振り分け部１４の間に多重部１６を設けることで、上り送信タイミング制御部１５と制御信号処理部１３と振り分け部１４を全ての受動光通信網で共有し、復号部１７を一部の受動光通信網で共有する。これにより、実施形態７は、受動光通信網ごとに必要な機能を削減し、端局装置９１の低コスト化を実現する。
【０１２４】
実施形態７が実施形態６と異なる点は、一つの復号部１７が全ての受動光通信網を収容するのではなく、一部の受動光通信網のみを収容する点である。よって、実施形態７は、実施形態６の課題を軽減する効果を持つ。つまり多重化する信号数を削減することにより、複数収容復号部１７の直前の多重部１８に必要なバッファ量と、複数収容復号部１７とその直前の多重部１８の間の配線２１−１に必要な伝送帯域を軽減することができる。
【０１２５】
（実施形態８）
図１６を用いて第八の実施形態を説明する。本実施形態に係る端局装置９１は、上り送信タイミング制御部１５と制御信号処理部１３を全ての受動光通信網で共有し、振り分け部１４を一部の受動光通信網で共有し、さらに復号部１７を一部の受動光通信網で共有する例である。実施形態８が実施形態７と異なる点は、一つの振り分け部１４が全ての受動光通信網を収容するのではなく、一部の受動光通信網のみを収容する点である。
【０１２６】
具体的には、本実施形態に係る端局装置９１は、受動光通信網ごとに光受信部１１１を備える。また、端局装置９１は、受動光通信網＃１〜＃ｍ１で共有する多重部１８及び復号部１７と、受動光通信網＃ｍ２で用いる復号部１１２と、受動光通信網＃１〜＃ｍ２で共有する多重部１６及び振り分け部１４と、受動光通信網＃ｍ３で用いる復号部１１２及び振り分け部１１４を備える。端局装置９１は、全ての受動光通信網で共有する多重部１２１、１２２及び１２３と、上り送信タイミング制御部１５と、制御信号処理部１３と、を備える。
【０１２７】
ここで、図１６の端局装置９１の復号部１７のように、複数の受動光通信網を収容する復号部１７を、特に「複数収容復号部」と呼ぶ。図１６の端局装置９１は、複数収容復号部として機能する一つの復号部１７と、受動光通信網＃ｍ２、＃ｍ３を一つずつ収容する復号部１１２を備える構成を示すが、これ以外の構成であっても構わない。例えば、複数収容復号部１７が二つ以上存在しても構わないし、全ての復号部が複数収容復号部１７であっても構わない。
【０１２８】
また、図１６の端局装置９１の振り分け部１４のように、複数の受動光通信網を収容する振り分け部１４を、特に「複数収容振り分け部」と呼ぶ。図１６の端局装置９１は、複数収容振り分け部として機能する一つの振り分け部１４と、受動光通信網＃ｍ３を一つずつ収容する振り分け部１１４を備える構成を示すが、これ以外の構成であっても構わない。例えば、複数収容振り分け部１４が二つ以上存在しても構わないし、全ての振り分け部が複数収容振り分け部１４であっても構わない。
【０１２９】
本実施形態に係る端局装置９１の受信方法は、端局装置９１が、光受信手順と、受信信号多重手順と、復号手順と、復号信号多重手順と、振り分け手順と、データ信号多重手順、上り送信タイミング制御手順及び制御信号処理手順の少なくともいずれかの手順と、を順に実行する。複数の光受信部１１１が光受信手順を実行し、多重部１８が受信信号多重手順を実行し、復号部１７及び１１２が復号手順を実行し、多重部１６が復号信号多重手順を実行し、振り分け部１４及び１１４が振り分け手順を実行し、多重部１２１がデータ信号多重手順を実行し、上り送信タイミング制御部１５が上り送信タイミング制御手順を実行し、制御信号処理部１３が制御信号処理手順を実行する。
【０１３０】
各機能ブロックを説明する。＃１〜＃ｍ１の光受信部１１１は、受動光通信網＃１〜＃ｍ１からのバースト信号ＳＡＢを電気信号に変換し多重部１８に転送する機能を有する。＃ｍ２〜＃ｍ３の光受信部１１１は、受動光通信網＃ｍ２及び＃ｍ３からのバースト信号ＳＡＢを電気信号に変換し復号部１１２に転送する機能を有する。多重部１８は、複数のポートから受信した信号ＳＡＢを一時的に保持するバッファ機能と、バッファに蓄えられた信号ＳＡＢを時間的に多重し、復号部１７に転送する機能を有する。＃１〜＃ｍ２の復号部１７及び１１２は、符号化された入力信号ＳＡＢを復号し、Ｂ−ＯＨとＦＥＣパリティを除去して信号ＳＡＡとした上で、多重部１６に転送する機能を有する。＃ｍ３の復号部１１２は、符号化された入力信号ＳＡＢを復号し、Ｂ−ＯＨとＦＥＣパリティを除去して信号ＳＡＡとした上で、振り分け部１１４に転送する機能を有する。
【０１３１】
多重部１６は、複数のポートから受信した信号ＳＡＡを一時的に保持するバッファ機能と、バッファに蓄えられた信号ＳＡＡを時間的に多重し、振り分け部１４に転送する機能を有する。振り分け部１４及び１１４は、入力信号ＳＡＡ中のデータ信号ＳＤを多重部１２１に転送する機能と、ＭＰＣＰ  Ｒｅｐｏｒｔ信号ＲＭを多重部１２２に転送する機能と、その他の制御信号ＳＣを多重部１２３に転送する機能と、を有する。
【０１３２】
多重部１２１は、複数のポートから受信した信号ＳＤを一時的に保持するバッファ機能と、バッファに蓄えられた信号ＳＤを時間的に多重化してデータ信号ＳＤ＃ｎとし、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【０１３３】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法を行う機能を有する。制御信号処理部１３は、受信した制御信号ＳＣを処理する機能を有する。
【０１３４】
実施形態８は、光受信部１１１と復号部１７の間に多重部１８を設け、また復号部１７及び１１２と振り分け部１４の間に多重部１６を設けることで、上り送信タイミング制御部１５と制御信号処理部１３を全ての受動光通信網で共有し、復号部１７を一部の受動光通信網で共有し、さらに振り分け部１４を一部の受動光通信網で共有する。これにより、実施形態８は、受動光通信網ごとに必要な機能を削減し、端局装置９１の低コスト化を実現する。
【０１３５】
実施形態８が実施形態７と異なる点は、一つの振り分け部１４が全ての受動光通信網を収容するのではなく、一部の受動光通信網のみを収容する点である。よって、実施形態８は、実施形態７より多くの振り分け部１４及び１１４を備えるので、振り分け部１４及び１１４の機能を簡略化することができる。
【０１３６】
（実施形態９）
図６を用いて、本発明の実施形態９を説明する。図６の端局装置９１は、制御信号処理部１３を全ての受動光通信網で共有する例である。実施形態９が実施形態１と異なる点は、Ｂ−ＯＨ多重帯域割り当て方法、あるいはＦＥＣ多重帯域割り当て方法、あるいはＢ−ＯＨおよびＦＥＣ多重帯域割り当て方法だけでなく、非特許文献２のＭＰＣＰ  Ｍｅｓｓａｇｅ  Ｏｖｅｒｌａｐｐｉｎｇ（以降、ＭＰＣＰ多重帯域割り当て方法と呼ぶ）も実行する点である。
【０１３７】
具体的には、本実施形態に係る端局装置９１は、受動光通信網ごとに、光受信部１１１と、復号部１１２と、振り分け部１１４と、上り送信タイミング制御部１１５とを備える。また、端局装置９１は、全ての受動光通信網で共有する多重部１２１、１２２及び１２３と、集線上り送信タイミング制御部１２５と、制御信号処理部１３と、を備える。
【０１３８】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化された入力信号ＳＡＢを復号し、Ｂ−ＯＨとＦＥＣパリティを除去して信号ＳＡＡとした上で、振り分け部１１４に転送する機能を有する。
【０１３９】
振り分け部１１４は、入力信号ＳＡＡ中のデータ信号ＳＤを多重部１２１に転送する機能と、ＭＰＣＰ  Ｒｅｐｏｒｔ信号ＲＭを上り送信タイミング制御部１１５に転送する機能と、制御信号を多重部１２３に転送する機能と、を有する。制御信号ＳＣとして、加入者線終端装置９２の新規登録時に加入者線終端装置９２から送信されるＲｅｇｉｓｔｅｒ  Ｒｅｑｕｅｓｔ信号やＯＡＭ信号を想定するが、それ以外の非データ信号でも構わない。
【０１４０】
上り送信タイミング制御部１１５は、ＭＰＣＰ  Ｒｅｐｏｒｔ信号ＲＭを多重部１２２に転送する機能を有する。多重部１２１は、複数のポートから受信した信号ＳＤを一時的に保持するバッファ機能と、バッファに蓄えられた信号ＳＤを時間的に多重化してデータ信号ＳＤ＃ｎとし、配線２０−ｎを介して上位通信網に転送する機能を有する。多重部１２２は、複数のポートから受信した信号ＲＭを一時的に保持するバッファ機能と、バッファに蓄えられた信号ＲＭを時間的に多重化し、集線上り送信タイミング制御部１２５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【０１４１】
集線上り送信タイミング制御部１２５は、受動光通信網＃１〜＃ｍ３への連携型のＢ−ＯＨ多重帯域割り当て方法を、あるいは連携型のＦＥＣ多重帯域割り当て方法を、あるいは連携型のＢ−ＯＨおよびＦＥＣ多重帯域割り当て方法を実行する機能と、受動光通信網＃１〜＃ｍ３へのＭＰＣＰ多重帯域割り当て方法を実行する機能と、を有する。制御信号処理部１３は、受信した制御信号ＳＣを処理する機能を有する。
【０１４２】
ＭＰＣＰ多重帯域割り当て方法は、非データ信号が端局装置９１と加入者線終端装置９２間でのみ必要なメッセージであることを利用し、異なる受動光通信網配下に接続されている加入者線終端装置９２にデータ信号と非データ信号を同一時間に送信させることによって、端局装置９１から上位通信網に転送される際の帯域利用効率の改善を実現する帯域割り当て方法である。
【０１４３】
ＭＰＣＰ多重帯域割り当て方法は、受動光通信網分類方法と、データ信号を送信する受動光通信網に対する帯域割り当て方法と、非データ信号を送信する受動光通信網に対する帯域割り当て方法と、を周期的に繰り返す。
【０１４４】
まず、受動光通信網分類方法を説明する。受動光通信網分類方法は、受信したＭＰＣＰ  Ｒｅｐｏｒｔ信号ＲＭをもとに、受動光通信網＃１〜＃ｍ３を、データ信号を送信するグループと、非データ信号を送信するグループに分類する。受動光通信網分類方法として、受動光通信網＃１〜＃ｍ３を、収容する加入者線終端装置９２数が大きい順に、それぞれのグループに交互に振り分けることで、それぞれのグループの受動光通信網に属する加入者線終端装置９２の合計数をできるだけ均等にする方法が考えられるが、これ以外の方法でも構わない。
【０１４５】
次に、データ信号を送信する受動光通信網に対する帯域割り当て方法について説明する。データ信号を送信する受動光通信網に対する帯域割り当て方法は、データ信号を送信する受動光通信網に属する全ての加入者線終端装置９２に対して、帯域割り当てを行う。受動光通信網に対する帯域割り当ての一例として、当該受動光通信網が収容する全ての加入者線終端装置９２からの送信要求量の総量の比に応じて送信許可量を決定し、各加入者線終端装置９２の伝送遅延および送信許可量をもとに各加入者線終端装置９２からの信号が衝突しないように送信開始時刻と送信継続時間を割り当てる方法が挙げられるが、それ以外の方法であっても構わない。
【０１４６】
最後に、非データ信号を送信する受動光通信網に対する帯域割り当て方法について説明する。非データ信号を送信する受動光通信網に対する帯域割り当て方法は、非データ信号を送信する受動光通信網に属する全ての加入者線終端装置９２に対して、帯域割り当てを行う。受動光通信網に対する帯域割り当ての一例として、当該受動光通信網が収容する全ての加入者線終端装置９２からの送信要求量の総量の比に応じて送信許可量を決定し、各加入者線終端装置９２の伝送遅延および送信許可量を基に各加入者線終端装置９２からの信号が衝突しないように送信開始時刻と送信継続時間を割り当てる方法が挙げられるが、それ以外の方法であっても構わない。
【０１４７】
ここでは、集線上り送信タイミング制御部１２５が、端局装置９１が収容する全ての加入者線終端装置９２に対して一括で送信許可量と送信開始時刻を割り当てるかたちの、ＭＰＣＰ多重帯域割り当て方法を紹介したが、これ以外の方法も考えられる。異なる受動光通信網配下に接続されている加入者線終端装置９２にデータ信号と非データ信号を同一時間に送信させる帯域割り当て方法を具備していれば、端局装置９１の構成は上記の例に限定されるものではない。他の実施形態についても同様である。
【０１４８】
例えば、集線上り送信タイミング制御部１２５は、各上り送信タイミング制御部１１５ごとに送信する信号の種類（データ信号、あるいは非データ信号）と送信許可量と送信開始時刻を割り当て、これをもとに、当該上り送信タイミング制御部１１５が、当該上り送信タイミング制御部１１５が収容する加入者線終端装置９２に対して送信許可量と送信開始時刻を割り当てるかたちの、ＭＰＣＰ多重帯域割り当て方法も考えられる。この方法は、一括型のＭＰＣＰ多重帯域割り当て方法と比較し、集線上り送信タイミング制御部１２５の計算負荷を軽減することができる。
【０１４９】
集線上り送信タイミング制御部１２５の計算負荷をさらに軽減するために、集線上り送信タイミング制御部１２５は、各上り送信タイミング制御部１１５に対して、信号の種類（データ信号、あるいは非データ信号）と送信許可量のみを、あるいは信号の種類（データ信号、あるいは非データ信号）と送信開始時刻のみを、あるいは信号の種類（データ信号、あるいは非データ信号）のみを割り当て、これをもとに、当該上り送信タイミング制御部１１５が、当該上り送信タイミング制御部１１５が収容する加入者線終端装置９２に対して送信許可量と送信開始時刻を割り当てるかたちの、ＭＰＣＰ多重帯域割り当て方法も考えられる。しかし、集線上り送信タイミング制御部１２５が各上り送信タイミング制御部１１５に対する送信開始時刻の割り当てを行わない場合、同時刻に到着する信号に対応するため、多重部１２１および多重部１２２に大きなバッファが必要になる。また、集線上り送信タイミング制御部１２５が各上り送信タイミング制御部１１５に対する送信許可量の割り当てを行わない場合、多重部１２１あるいは多重部１２２に大量の信号が集中し、一部の信号がバッファ溢れを起こす可能性がある。
【０１５０】
もしくは、集線上り送信タイミング制御部１２５を設けずにＭＰＣＰ多重帯域割り当て方法を実行する端局装置９１も考えられる。この端局装置９１においては、上り送信タイミング制御部１１５間でＭＰＣＰ  Ｒｅｐｏｒｔ情報を共有し合い、一つまたは複数の上り送信タイミング制御部１１５がＭＰＣＰ多重帯域割り当て方法を実行し、他の上り送信タイミング制御部１１５に対し、送信する信号の種類（データ信号、あるいは非データ信号）と送信許可量と送信開始時刻、あるいは送信する信号の種類（データ信号、あるいは非データ信号）と送信許可量、あるいは送信する信号の種類（データ信号、あるいは非データ信号）と送信開始時刻、あるいは送信する信号の種類（データ信号、あるいは非データ信号）のみを通知する。この端局装置９１の場合、端局装置９１の機能である集線上り送信タイミング制御部１２５を削減することで、低コスト化を実現することができる。
【０１５１】
実施形態９では、多重部１２３を設けて制御信号処理部１３を集約することで、受動光通信網ごとに必要な機能を削減し、端局装置９１の低コスト化を実現する。実施形態９が実施形態１と異なる点は、Ｂ−ＯＨ多重帯域割り当て方法、あるいはＦＥＣ多重帯域割り当て方法、あるいはＢ−ＯＨおよびＦＥＣ多重帯域割り当て方法だけでなく、ＭＰＣＰ多重帯域割り当て方法も実行する点である。したがって、実施形態９は、実施形態１より、端局装置９１から上位通信網２０−ｎに転送される際の帯域利用効率を向上させることが可能である。
【０１５２】
（実施形態１０）
図１０を用いて第十の実施形態を説明する。本実施形態に係る端局装置９１は、上り送信タイミング制御部１５を全ての受動光通信網で共有する例である。実施形態１０が実施形態２と異なる点は、Ｂ−ＯＨ多重帯域割り当て方法、あるいはＦＥＣ多重帯域割り当て方法、あるいはＢ−ＯＨおよびＦＥＣ多重帯域割り当て方法だけでなく、ＭＰＣＰ多重帯域割り当て方法も実行する点である。
【０１５３】
具体的には、本実施形態に係る端局装置９１は、受動光通信網ごとに光受信部１１１と、復号部１１２と、振り分け部１１４と、制御信号処理部１１３とを備える。また、端局装置９１は、全ての受動光通信網で共有する多重部１２１及び１２２と、上り送信タイミング制御部１５と、を備える。
【０１５４】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化された入力信号ＳＡＢを復号し、Ｂ−ＯＨとＦＥＣパリティを除去して信号ＳＡＡとした上で、振り分け部１１４に転送する機能を有する。振り分け部１１４は、入力信号ＳＡＡ中のデータ信号ＳＤを多重部１２１に転送する機能と、ＭＰＣＰ  Ｒｅｐｏｒｔ信号ＲＭを多重部１２２に転送する機能と、その他の制御信号ＳＣを制御信号処理部１１３に転送する機能と、を有する。制御信号処理部１１３は、制御信号ＳＣを処理する機能を有する。
【０１５５】
多重部１２１は、複数のポートから受信した信号を一時的に保持するバッファ機能と、バッファに蓄えられた信号を時間的に多重化してデータ信号ＳＤ＃ｎとし、配線２０−ｎを介して上位通信網に転送する機能を有する。多重部１２２は、複数のポートから受信した信号を一時的に保持するバッファ機能と、バッファに蓄えられた信号を時間的に多重化し、上り送信タイミング制御部に転送する機能を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う機能を有する。
【０１５６】
実施形態１０では、図２の上り送信タイミング制御部１１５と集線上り送信タイミング制御部１２５の機能を、図１０の上り送信タイミング制御部１２５に集約することで、受動光通信網ごとに必要な機能を削減し、端局装置９１の低コスト化を実現する。
【０１５７】
実施形態１０が実施形態２と異なる点は、Ｂ−ＯＨ多重帯域割り当て方法、あるいはＦＥＣ多重帯域割り当て方法、あるいはＢ−ＯＨおよびＦＥＣ多重帯域割り当て方法だけでなく、ＭＰＣＰ多重帯域割り当て方法も実行する点である。したがって、実施形態１０は、実施形態２より、端局装置９１から上位通信網に転送される際の帯域利用効率を向上させることが可能である
【０１５８】
（実施形態１１）
図１１を用いて第十一の実施形態を説明する。本実施形態に係る端局装置９１は、上り送信タイミング制御部１５および制御信号処理部１３を全ての受動光通信網で共有する例である。実施形態１１が実施形態９と異なる点は、制御信号処理部１３だけでなく、上り送信タイミング制御部１５も全ての受動光通信網で共有する点である。
【０１５９】
具体的には、本実施形態に係る端局装置９１は、受動光通信網ごとの光受信部１１１と、復号部１１２と、振り分け部１１４と、多重部１２１、１２２及び１２３と、上り送信タイミング制御部１５と、制御信号処理部１３と、を備える。
【０１６０】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化された入力信号ＳＡＢを復号し、Ｂ−ＯＨとＦＥＣパリティを除去して信号ＳＡＡとした上で、振り分け部１１４に転送する機能を有する。振り分け部１１４は、入力信号ＳＡＡ中のデータ信号ＳＤを多重部１２１に転送する機能と、ＭＰＣＰ  Ｒｅｐｏｒｔ信号ＲＭを多重部１２２に転送する機能と、その他の制御信号を多重部１２３に転送する機能と、を有する。
【０１６１】
多重部１２１は、複数のポートから受信した信号ＳＤを一時的に保持するバッファ機能と、バッファに蓄えられた信号ＳＤを時間的に多重化してデータ信号ＳＤ＃ｎとし、上位通信網に転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【０１６２】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う機能を有する。制御信号処理部１３は、制御信号ＳＣを処理する機能を有する。
【０１６３】
実施形態１１では、図２の上り送信タイミング制御部１１５と集線上り送信タイミング制御部１２５の機能を、図１１の上り送信タイミング制御部１５に集約し、さらに多重部１２３を設けて制御信号処理部１３を集約することによって、受動光通信網ごとに必要な機能を削減し、端局装置９１の低コスト化を実現する。実施形態１１が実施形態９と異なる点は、制御信号処理部１３だけでなく、上り送信タイミング制御部１５も全ての受動光通信網で共有する点である。したがって、実施形態１１は、受動光通信網ごとに必要な機能を、実施形態９より削減することができる。
【０１６４】
（実施形態１２）
図１２を用いて第十二の実施形態を説明する。本実施形態に係る端局装置９１は、上り信号送信タイミング制御部１５と制御信号処理部１３と振り分け部１４を全ての受動光通信網で共有する例である。実施形態１２が実施形態１１と異なる点は、上り送信タイミング制御部１５と制御信号処理部１３だけでなく、振り分け部１４も全ての受動光通信網で共有する点である。
【０１６５】
具体的には、本実施形態に係る端局装置９１は、受動光通信網ごとの光受信部１１１と、復号部１１２と、を備える。また、端局装置９１は、全ての受動光通信網で共有する多重部１６と、振り分け部１４と、上り送信タイミング制御部１５と、制御信号処理部１３と、を備える。
【０１６６】
各機能ブロックを説明する。光受信部１１１は、受動光通信網＃１〜＃ｍ３からのバースト信号ＳＡＢを電気信号に変換し復号部１１２に転送する機能を有する。復号部１１２は、符号化された入力信号ＳＡＢを復号し、Ｂ−ＯＨとＦＥＣパリティを除去して信号ＳＡＡとした上で、多重部１６に転送する機能を有する。多重部１６は、複数のポートから受信した信号ＳＡＡを一時的に保持するバッファ機能と、バッファに蓄えられた信号ＳＡＡを時間的に多重し、振り分け部１４に転送する機能を有する。
【０１６７】
振り分け部１４は、入力信号ＳＡＡ中のデータ信号ＳＤを多重化してデータ信号ＳＤ＃ｎとし、上位通信網に転送する機能と、ＭＰＣＰ  Ｒｅｐｏｒｔ信号ＲＭを上り送信タイミング制御部１５に転送する機能と、その他の制御信号ＳＣを制御信号処理部１３に転送する機能と、を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う。制御信号処理部１３は、受信した制御信号ＳＣを処理する機能を有する。
【０１６８】
実施形態１２は、復号部１１２と振り分け部１４の間に大きなバッファを持つ多重部１６を設けることで、上り送信タイミング制御部１５と制御信号処理部１３と振り分け部１４を全ての受動光通信網で共有する。これにより、実施形態１２は、受動光通信網ごとに必要な機能を削減し、端局装置９１の低コスト化を実現する。
【０１６９】
実施形態１２が実施形態１１と異なる点は、上り送信タイミング制御部１５と制御信号処理部１３だけでなく、振り分け部１４も全ての受動光通信網で共有する点である。したがって、実施形態１２は、受動光通信網ごとに必要な機能を、実施形態１１より削減することができる。一方で、実施形態１２では、実施形態１１で不要であった、大きなバッファを持つ多重部１６と、多重部１６と振り分け部１４の間に大きな伝送帯域を持つ配線２１―３と、が必要になる。以下で、多重部１６が大きなバッファを有する必要がある理由と、多重部１６と振り分け部１４の間の配線２１−３が少なくとも振り分け部１４と上位通信網の間の配線２１−４より大きな帯域が必要となる理由とを、説明する。
【０１７０】
まず、多重部１６が大きなバッファ機能を有する理由を説明する。ＭＰＣＰ多重帯域割り当て方法は、異なる受動光通信網配下に接続されている加入者線終端装置９２にデータ信号と非データ信号を同一時間に送信させることによって、端局装置９１から上位通信網に転送される際の帯域利用効率の改善を実現する帯域割り当て方法である。したがって、実施形態１２の復号部１１２から転送されたデータ信号と非データ信号の一部は、同一時間に多重部１６に到着する。ゆえに、多重部１６は、衝突による信号損失を回避するために、複数のポートから受信した信号を一時的に保持し、出力タイミングを調整する大きなバッファを有する必要がある。
【０１７１】
次に、多重部１６と振り分け部１４の間の配線２１−３は、少なくとも端局装置９１と上位通信網の間の配線２１−４より、大きな帯域を持つ必要がある理由を説明する。振り分け部１４は、配線２１−３から受信したデータ信号と非データ信号の混成信号ＳＡＡから、データ信号ＳＤのみを抽出し、配線２１−４を通してデータ信号ＳＤ＃ｎとして上位通信網に転送する。したがって、非データ信号を伝送する必要があるぶんだけ、配線２１−３は配線２１−４より大きな伝送帯域が必要となる。
【０１７２】
（実施形態１３）
図１３を用いて第十三の実施形態を説明する。本実施形態に係る端局装置９１は、上り送信タイミング制御部１５と制御信号処理部１３を全ての受動光通信網で共有し、さらに振り分け部１４を一部の受動光通信網で共有する例である。実施形態１３が実施形態１２と異なる点は、一つの振り分け部１４が全ての受動光通信網を収容するのではなく、一部の受動光通信網のみを収容する点である。
【０１７３】
具体的には、本実施形態に係る端局装置９１は、受動光通信網ごとに、光受信部１１１と、復号部１１２と、を備える。また、端局装置９１は、受動光通信網＃１〜＃ｍ１で共有する振り分け部１４と、受動光通信網＃ｍ２及び＃ｍ３のそれぞれに備わる振り分け部１１４と、を備える。また、端局装置９１は、全ての受動光通信網で共有する、多重部１２１、１２２及び１２３と、上り送信タイミング制御部１５と、制御信号処理部１３とを備える。
【０１７４】
ここで、図１３の端局装置９１の振り分け部１４のように、複数の受動光通信網を収容する振り分け部１４を、特に「複数収容振り分け部」と呼ぶ。図１３の端局装置９１は、複数収容振り分け部として機能する一つの振り分け部１４と、受動光通信網＃ｍ２、＃ｍ３を一つずつ収容する振り分け部１１４を備える構成を示すが、これ以外の構成であっても構わない。例えば、複数収容振り分け部１４が二つ以上存在しても構わないし、全ての振り分け部が複数収容振り分け部１４であっても構わない。
【０１７５】
各機能ブロックを説明する。光受信部１１１は、受動光通信網＃１〜＃ｍ３からのバースト信号ＳＡＢを電気信号に変換し復号部１１２に転送する機能を有する。＃１及び＃ｍ１の復号部１１２は、符号化された入力信号ＳＡＢを復号し、Ｂ−ＯＨとＦＥＣパリティを除去して信号ＳＡＡとした上で、多重部１６に転送する機能を有する。＃ｍ２及び＃ｍ３の復号部１１２は、符号化された入力信号ＳＡＢを復号し、Ｂ−ＯＨとＦＥＣパリティを除去して信号ＳＡＡとした上で、振り分け部１１４に転送する機能を有する。
【０１７６】
多重部１６は、複数のポートから受信した信号ＳＡＡを一時的に保持するバッファ機能と、バッファに蓄えられた信号ＳＡＡを時間的に多重し、振り分け部１４に転送する機能を有する。振り分け部１４及び１１４は、入力信号ＳＡＡ中のデータ信号ＳＤを多重部１２１に転送する機能と、ＭＰＣＰ  Ｒｅｐｏｒｔ信号ＲＭを多重部１２２に転送する機能と、その他の制御信号ＳＣを多重部１２３に転送する機能と、を有する。
【０１７７】
多重部１２１は、複数のポートから受信した信号ＳＤを一時的に保持するバッファ機能と、バッファに蓄えられた信号ＳＤを時間的に多重化してデータ信号ＳＤ＃ｎとし、上位通信網２０−ｎに転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【０１７８】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う機能を有する。制御信号処理部１３は、受信した制御信号ＳＣを処理する機能を有する。
【０１７９】
実施形態１３は、＃１〜＃ｍ１の復号部１１２と振り分け部１４の間に多重部１６を設けることで、上り送信タイミング制御部１５と制御信号処理部１３を全ての受動光通信網で共有し、さらに振り分け部１４を一部の受動光通信網で共有する。これにより、実施形態１３は、受動光通信網ごとに必要な機能を削減し、端局装置９１の低コスト化を実現する。
【０１８０】
実施形態１３が実施形態１２と異なる点は、一つの振り分け部１４が全ての受動光通信網を収容するのではなく、一部の受動光通信網のみを収容する点である。よって、実施形態１３は、実施形態１２の課題を軽減する効果を持つ。つまり、多重化する信号数を削減することにより、複数収容振り分け部１４の直前の多重部１６に必要なバッファ量と、複数収容振り分け部１４とその直前の多重部１６の間の配線２１−３に必要な伝送帯域を軽減することができる。また、実施形態１３は、実施形態１２より多くの振り分け部１４及び１１４を備えるので、振り分け部１４の機能を簡略化することができる。
【０１８１】
（実施形態１４）
図１４を用いて第十四の実施形態を説明する。本実施形態に係る端局装置９１は、上り送信タイミング制御部１５と制御信号処理部１３と振り分け部１４と復号部１７を全ての受動光通信網で共有する例である。実施形態１４が実施形態１２と異なる点は、全ての受動光通信網が、上り送信タイミング制御部１５と制御信号処理部１３と振り分け部１４だけでなく、復号部１７も共有することである。
【０１８２】
具体的には、本実施形態に係る端局装置９１は、受動光通信網ごとの光受信部１１１を備える。また端局装置９１は、全ての受動光通信網で共有する多重部１８と、復号部１７と、振り分け部１４と、上り送信タイミング制御部１５と、制御信号処理部１３と、を備える。
【０１８３】
各機能ブロックを説明する。光受信部１１１は、受動光通信網＃１〜＃ｍ３からのバースト信号ＳＡＢを電気信号に変換し多重部１８に転送する機能を有する。多重部１８は、複数のポートから受信した信号ＳＡＢを一時的に保持するバッファ機能と、バッファに蓄えられた信号ＳＡＢを時間的に多重し、復号部１７に転送する機能を有する。復号部１７は、符号化された入力信号ＳＡＢを復号し、Ｂ−ＯＨとＦＥＣパリティを除去して信号ＳＡＡとした上で、振り分け部１４に転送する機能を有する。
【０１８４】
振り分け部１４は、入力信号ＳＡＡ中のデータ信号ＳＤを多重化してデータ信号ＳＤ＃ｎとし、上位通信網に転送する機能と、ＭＰＣＰ  Ｒｅｐｏｒｔ信号ＲＭを上り送信タイミング制御部１５に転送する機能と、その他の制御信号ＳＣを制御信号処理部１３に転送する機能と、を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う機能を有する。制御信号処理部１３は、受信した制御信号ＳＣを処理する機能を有する。
【０１８５】
実施形態１４では、＃１〜＃ｍ３の光受信部１１１と復号部１７の間に大きなバッファを持つ多重部１８を設け、また多重部１８と復号部１７の間に大きな伝送帯域を持つ配線２１−１を設け、さらに復号部１７と振り分け部１４の間に大きな伝送帯域を持つ配線２１−２を設けることで、上り送信タイミング制御部１５と制御信号処理部１３と振り分け部１４と復号部１７を全ての受動光通信網で共有する。これにより、実施形態１４は、受動光通信網ごとに必要な機能を削減し、端局装置９１の低コスト化を実現する。
【０１８６】
実施形態１４が実施形態１２と異なる点は、全ての受動光通信網が、上り送信タイミング制御部１５と制御信号処理部１３と振り分け部１４だけでなく、復号部１７も共有することである。したがって、実施形態１４は、受動光通信網ごとに必要な機能を、実施形態１２より削減することができる。
【０１８７】
一方で、実施形態１４では、実施形態１２の多重部１６に必要な量より大きなバッファが必要な多重部１８と、多重部１８と復号部１７の間に大きな伝送帯域を持つ配線２１−１と、さらに復号部１７と振り分け部１４の間に大きな伝送帯域を持つ配線２１−２と、が必要になる。以下で、実施形態１４の多重部１８が実施形態１２の多重部１６よりも大きなバッファを持つ必要がある理由と、多重部１８と復号部１７の間の配線２１−１が少なくとも復号部１７と振り分け部１４の間の配線２１−２より大きな伝送帯域が必要となる理由と、復号部１７と振り分け部１４の間の配線２１−２が少なくとも振り分け部１４と上位通信網の間の配線２１−４より大きな伝送帯域が必要となる理由とを、説明する。
【０１８８】
まず、実施形態１４の多重部１８が実施形態１２の多重部１６よりも大きなバッファを持つ必要がある理由を説明する。Ｂ−ＯＨ多重帯域割り当て方法、あるいはＦＥＣ多重帯域割り当て方法、あるいはＢ−ＯＨおよびＦＥＣ多重帯域割り当て方法は、異なる受動光通信網から送信されるバースト信号のＢ−ＯＨ送信時間、あるいはＦＥＣパリティ送信時間、あるいはその両方の送信時間和を重ね合わせることによって、端局装置９１から上位通信網に転送される際の帯域利用効率の改善を実現する帯域割り当て方法である。
【０１８９】
したがって、実施形態１４の光受信部１１１から転送された復号前のデータ信号の一部は、同一時刻に多重部１８に到着する。ゆえに、多重部１８は、衝突による信号損失を回避するために、少なくともＢ−ＯＨ、あるいはＦＥＣパリティ、あるいはその両方の重ね合わせ部分の信号を一時的に保持できる量のバッファを有する必要がある。一方で、実施形態１２の多重部１６は、復号部１１２で復号された信号を多重するため、同一時刻に受信する信号の量は、実施形態１４の多重部１８より少ない。したがって、実施形態１２の多重部１６に必要なバッファ量は、実施形態１４の多重部１８に必要なバッファ量より少ない。
【０１９０】
次に、多重部１８と復号部１７の間の配線２１−１は、少なくとも復号部１７と振り分け部１４の間の配線２１−２より、大きな伝送帯域を持つ必要がある理由を説明する。配線２１−１は復号前のデータを伝送するのに対し、配線２１−２は復号後のデータを伝送する。したがって、少なくともＢ−ＯＨとＦＥＣパリティを伝送する必要があるぶんだけ、配線２１−１は配線２１−２より大きな伝送帯域が必要となる。
【０１９１】
最後に、復号部１７と振り分け部１４の間の配線２１−２が少なくとも振り分け部１４と上位通信網２０−ｎの間の配線２１−４より大きな伝送帯域が必要となる理由を説明する。振り分け部１４は、配線２１−２から受信したデータ信号と非データ信号の混成信号からデータ信号ＳＤのみを抽出し、配線２１−４を通して上位通信網２０−ｎに転送する。したがって、非データ信号を伝送する必要があるぶんだけ、配線２１−２は配線２１−４より大きな伝送帯域が必要となる。
【０１９２】
（実施形態１５）
図１５を用いて第十五の実施形態を説明する。本実施形態に係る端局装置９１は、上り送信タイミング制御部１５と制御信号処理部１３と振り分け部１４を全ての受動光通信網で共有し、さらに復号部１７を一部の受動光通信網で共有する例である。実施形態１５が実施形態１４と異なる点は、一つの復号部１７が全ての受動光通信網を収容するのではなく、一部の受動光通信網のみを収容する点である。
【０１９３】
具体的には、本実施形態に係る端局装置９１は、受動光通信網ごとに、光受信部１１１を備える。また、端局装置９１は、受動光通信網＃１〜＃ｍで共有する、多重部１８及び復号部１７と、受動光通信網＃ｍ２〜＃ｍ３のそれぞれに備わる復号部１１２とを備える。また、本実施形態に係る端局装置９１は、全ての受動光通信網で共有する、多重部１６と、振り分け部１４と、上り送信タイミング制御部１５と、制御信号処理部１３と、を備える。
【０１９４】
ここで、図１５の端局装置９１の復号部１７のように、複数の受動光通信網を収容する復号部１７を、特に「複数収容復号部」と呼ぶ。図１５の端局装置９１は、複数収容復号部として機能する一つの復号部１７と、受動光通信網＃ｍ２、＃ｍ３を一つずつ収容する復号部１１２を備える構成を示すが、これ以外の構成であっても構わない。例えば、複数収容復号部１７が二つ以上存在しても構わないし、全ての復号部１１２が複数収容復号部１７であっても構わない。
【０１９５】
各機能ブロックを説明する。＃１〜＃ｍ１の光受信部１１１は、受動光通信網＃１〜＃ｍ１からのバースト信号ＳＡＢを電気信号に変換し多重部１８に転送する機能を有する。＃ｍ２〜＃ｍ３の光受信部１１１は、受動光通信網＃ｍ２〜＃ｍ３からのバースト信号ＳＡＢを電気信号に変換し、それぞれ復号部１１２に転送する機能を有する。多重部１８は、複数のポートから受信した信号ＳＡＢを一時的に保持するバッファ機能と、バッファに蓄えられた信号ＳＡＢを時間的に多重し、復号部１７に転送する機能を有する。
【０１９６】
復号部１７及び１１２は、符号化された入力信号を復号し、Ｂ−ＯＨとＦＥＣパリティを除去して信号ＳＡＡとした上で、多重部１６に転送する機能を有する。多重部１６は、複数のポートから受信した信号ＳＡＡを一時的に保持するバッファ機能と、バッファに蓄えられた信号ＳＡＡを時間的に多重し、振り分け部１４に転送する機能を有する。
【０１９７】
振り分け部１４は、入力信号ＳＡＡ中のデータ信号ＳＤを多重化してデータ信号ＳＤ＃ｎとし、上位通信網に転送する機能と、ＭＰＣＰ  Ｒｅｐｏｒｔ信号ＲＭを上り送信タイミング制御部１５に転送する機能と、その他の制御信号ＳＣを制御信号処理部１３に転送する機能と、を有する。上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う機能を有する。制御信号処理部１３は、受信した制御信号ＳＣを処理する機能を有する。
【０１９８】
実施形態１５は、＃１〜＃ｍ１の光受信部１１１と復号部１７の間に多重部１８を設け、また＃１〜＃ｍ３の復号部１７及び１１２と振り分け部１４の間に多重部１６を設け、さらに多重部１６と振り分け部１４の間に大きな伝送帯域を持つ配線２１−３を設けることで、上り送信タイミング制御部１５と制御信号処理部１３と振り分け部１４を全ての受動光通信網で共有し、復号部１７を一部の受動光通信網で共有する。これにより、実施形態１５は、受動光通信網ごとに必要な機能を削減し、端局装置９１の低コスト化を実現する。
【０１９９】
実施形態１５が実施形態１４と異なる点は、一つの復号部１７が全ての受動光通信網を収容するのではなく、一部の受動光通信網のみを収容する点である。よって、実施形態１５は、実施形態１４の課題を軽減する効果を持つ。つまり多重化する信号数を削減することにより、複数収容復号部１７の直前の多重部１８に必要なバッファ量と、複数収容復号部１７とその直前の多重部１８の間の配線２１−１に必要な伝送帯域を軽減することができる。また、実施形態１５は、実施形態１４より多くの復号部１７及び１１２を備えるので、復号部１７の機能を簡略化することができる。
【０２００】
（実施形態１６）
図１６を用いて第十六の実施形態を説明する。本実施形態に係る端局装置９１は、上り送信タイミング制御部１５と制御信号処理部１３を全ての受動光通信網で共有し、振り分け部１４を一部の受動光通信網で共有し、さらに復号部１７を一部の受動光通信網で共有する例である。実施形態１６が実施形態１５と異なる点は、一つの振り分け部１４が全ての受動光通信網を収容するのではなく、一部の受動光通信網のみを収容する点である。
【０２０１】
具体的には、本実施形態に係る端局装置９１は、受動光通信網ごとに光受信部１１１を備える。また、本実施形態に係る端局装置９１は、受動光通信網＃１〜＃ｍ１で共有する多重部１８及び復号部１７と、受動光通信網＃ｍ２〜＃ｍ３にそれぞれ備わる復号部１１２と、受動光通信網＃１〜＃ｍ２で共有する多重部１６及び振り分け部１４と、受動光通信網＃ｍ３に備わる振り分け部１１４と、を備える。端局装置９１は、全ての受動光通信網で共有する多重部１２１、１２２及び１２３と、上り送信タイミング制御部１５と、制御信号処理部１３と、を備える。
【０２０２】
ここで、図１６の端局装置９１の復号部１７のように、複数の受動光通信網を収容する復号部１７を、特に「複数収容復号部」と呼ぶ。図１６の端局装置９１は、複数収容復号部として機能する一つの復号部１７と、受動光通信網＃ｍ２、＃３を一つずつ収容する復号部１１２を備える構成を示すが、これ以外の構成であっても構わない。例えば、複数収容復号部１７が二つ以上存在しても構わないし、全ての復号部が複数収容復号部１７であっても構わない。
【０２０３】
また、図１６の端局装置９１の振り分け部１４のように、複数の受動光通信網を収容する振り分け部１４を、特に「複数収容振り分け部」と呼ぶ。図１６の端局装置９１は、複数収容振り分け部として機能する一つの振り分け部１４と、受動光通信網＃ｍ３を一つずつ収容する振り分け部１１４を備える構成を示すが、これ以外の構成であっても構わない。例えば、複数収容振り分け部１４が二つ以上存在しても構わないし、全ての振り分け部が複数収容振り分け部１４であっても構わない。
【０２０４】
各機能ブロックを説明する。＃１〜＃ｍ１の光受信部１１１は、受動光通信網＃１〜＃ｍ１からのバースト信号ＳＡＢを電気信号に変換し多重部１８に転送する機能を有する。＃ｍ２〜＃ｍ３の光受信部１１１は、受動光通信網＃ｍ２〜＃ｍ３からのバースト信号ＳＡＢを電気信号に変換し復号部１１２に転送する機能を有する。多重部１８は、複数のポートから受信した信号ＳＡＢを一時的に保持するバッファ機能と、バッファに蓄えられた信号ＳＡＢを時間的に多重し、復号部１７に転送する機能を有する。
【０２０５】
＃１〜＃ｍ２の復号部１１２は、符号化された入力信号ＳＡＢを復号し、Ｂ−ＯＨとＦＥＣパリティを除去して信号ＳＡＡとした上で、多重部１６に転送する機能を有する。＃ｍ３の復号部１１２は、符号化された入力信号を復号し、Ｂ−ＯＨとＦＥＣパリティを除去して信号ＳＡＡとした上で、振り分け部１１４に転送する機能を有する。
【０２０６】
多重部１６は、複数のポートから受信した信号ＳＡＡを一時的に保持するバッファ機能と、バッファに蓄えられた信号ＳＡＡを時間的に多重し、振り分け部１４に転送する機能を有する。振り分け部１４及び１１４は、入力信号ＳＡＡ中のデータ信号ＳＤを多重部１２１に転送する機能と、ＭＰＣＰ  Ｒｅｐｏｒｔ信号ＲＭを多重部１２２に転送する機能と、その他の制御信号ＳＣを多重部１２３に転送する機能と、を有する。
【０２０７】
多重部１２１は、複数のポートから受信した信号ＳＤを一時的に保持するバッファ機能と、バッファに蓄えられた信号ＳＤを時間的に多重化してデータ信号ＳＤ＃ｎとし、上位通信網に転送する機能を有する。多重部１２２は、複数のポートから受信した信号ＲＭを一時的に保持するバッファ機能と、バッファに蓄えられた信号ＲＭを時間的に多重化し、上り送信タイミング制御部１５に転送する機能を有する。多重部１２３は、複数のポートから受信した信号ＳＣを一時的に保持するバッファ機能と、バッファに蓄えられた信号ＳＣを時間的に多重化し、制御信号処理部１３に転送する機能を有する。
【０２０８】
上り送信タイミング制御部１５は、受信したＭＰＣＰ  Ｒｅｐｏｒｔ信号ＲＭをもとに、Ｂ−ＯＨ多重帯域割り当て方法、あるいはＦＥＣ多重帯域割り当て方法、あるいはＢ−ＯＨおよびＦＥＣ多重帯域割り当て方法と、ＭＰＣＰ多重帯域割り当て方法と、を行う機能を有する。制御信号処理部１３は、受信した制御信号ＳＣを処理する機能を有する。
【０２０９】
実施形態１６は、光受信部１１１と復号部１７の間に多重部１８を設け、また復号部１７及び１１２と振り分け部１４の間に多重部１６を設けることで、上り送信タイミング制御部１５と制御信号処理部１３を全ての受動光通信網で共有し、復号部１７を一部の受動光通信網で共有し、さらに振り分け部１４を一部の受動光通信網で共有する。これにより、実施形態１６は、受動光通信網ごとに必要な機能を削減し、端局装置９１の低コスト化を実現する。
【０２１０】
実施形態１６が実施形態１５と異なる点は、一つの振り分け部１４が全ての受動光通信網を収容するのではなく、一部の受動光通信網のみを収容する点である。よって、実施形態１６は、実施形態１５の課題を軽減する効果を持つ。つまり、多重化する信号数を削減することにより、複数収容振り分け部１４の直前の多重部１６に必要なバッファ量と、複数収容振り分け部１４とその直前の多重部１６の間の配線２１−３に必要な伝送帯域を軽減することができる。また、実施形態１６は、実施形態１５より多くの振り分け部１４及び１１４を備えるので、振り分け部１４の機能を簡略化することができる。
【産業上の利用可能性】
【０２１１】
本発明は、情報通信産業に適用することができる。
【符号の説明】
【０２１２】
１１：送受信機能部
１２：集線機能部
１３：制御信号処理部
１４：振り分け部
１５：上り送信タイミング制御部
１６：多重部
１７：復号部
１８：多重部
９１：端局装置
９２：加入者線終端装置
１１１：光受信部
１１２：復号部
１１３：制御信号処理部
１１４：振り分け部
１１５：上り送信タイミング制御部
１２１：多重部
１２２：多重部
１２３：多重部
１２５：集線上り送信タイミング制御部
【要約】
【課題】本発明は、受動光通信網を収容する送受信機能部ごとに、同一の機能部をそれぞれ備えるために、端局装置が多くの受動光通信網を収容すればするほど、収容する受動光通信網に対応する送受信機能部が増加し、送受信機能部の数だけ機能数が不必要に増加し、上位通信網への送信時のバッファを多く必要とし、端局装置のコストが増大する問題を解決することを目的とする。
【解決手段】本発明に係る端局装置９１は、受動光通信網ごとに、光受信部１１１と、復号部１１２と、振り分け部１１４と、上り送信タイミング制御部１１５とを備える。本発明に係る端局装置９１は、全ての受動光通信網で共有する、多重部１２１、１２２及び１２３と、集線上り送信タイミング制御部１２５と、制御信号処理部１３と、を備える。
【選択図】図６【図１】
0005909297.tif 000002
【図２】
0005909297.tif 000003
【図３】
0005909297.tif 000004
【図４】
0005909297.tif 000005
【図５】
0005909297.tif 000006
【図６】
0005909297.tif 000007
【図７】
0005909297.tif 000008
【図８】
0005909297.tif 000009
【図９】
0005909297.tif 000010
【図１０】
0005909297.tif 000011
【図１１】
0005909297.tif 000012
【図１２】
0005909297.tif 000013
【図１３】
0005909297.tif 000014
【図１４】
0005909297.tif 000015
【図１５】
0005909297.tif 000016
【図１６】
0005909297.tif 000017